(57)【要約】  マルチメディアメッセージ（ＭＭ）ボックスに格納されたマルチメディアメッセージを共有して検索するためのマルチメディアメッセージサービス方法及びシステムを開示する。マルチメディアメッセージサービス（ＭＭＳ）クライアントは、ＭＭボックスに格納されるか、または、アップロードされたあるマルチメディアメッセージに対するアクセスモード（“公開”、“制限”、又は“非公開”）を設定しうる。マルチメディアメッセージとの共有が許可された場合には、該マルチメディアメッセージへのアクセス許可を受けたＭＭＳクライアントは、上記共有されたマルチメディアメッセージへのアクセス許可通知を受けることができる。ＭＭＳクライアントがマルチメディアメッセージの一覧又は検索を要求する場合には、ＭＭＳリレー／サーバは、ＭＭＳクライアントが該マルチメディアメッセージへのアクセス許可を受けたか否かを確認する。ＭＭＳクライアントが該マルチメディアメッセージへのアクセス許可を受けている場合には、ＭＭＳリレー／サーバは、ＭＭＳクライアントが該マルチメディアメッセージにアクセスできるようにする。
2008537670.tif 000002
【特許請求の範囲】
【請求項１】
マルチメディアメッセージサービス方法であって、
ユーザの要求に従ってマルチメディアメッセージボックスに格納された所定のマルチメディアメッセージに対するアクセスモードを設定するステップと、
当該所定のマルチメディアメッセージへのアクセス要求が他のユーザから受信された場合には、当該他のユーザが前記設定されたアクセスモードに基づいて当該所定のマルチメディアメッセージへのアクセスを許可されるか否かを決定し、当該所定のマルチメディアメッセージを送信するステップと、
を含むことを特徴とするマルチメディアメッセージサービス方法。
【請求項２】
マルチメディアメッセージサービス方法であって、
ａ）ユーザの要求に従って、一人以上の他のユーザが所定のマルチメディアメッセージにアクセスすることを許可するように、マルチメディアメッセージボックスに格納された当該所定のマルチメディアメッセージに対するアクセスモードを設定するステップと、
ｂ）前記他のユーザが当該所定のマルチメディアメッセージへのアクセスを許可されたことを前記他のユーザに通知する第２のステップと、
ｃ）前記通知に基づいて、前記他のユーザが前記所定のマルチメディアメッセージへのアクセスを可能にする第３のステップと、
を含むことを特徴とするマルチメディアメッセージサービス方法。
【請求項３】
前記アクセスモードは、当該所定のマルチメディアメッセージのオーナーだけが当該所定のマルチメディアメッセージにアクセスすることを許可する非公開モードと、予め定められた複数のユーザが当該所定のマルチメディアメッセージにアクセスすることを許可する制限モードと、全てのユーザが当該所定のマルチメディアメッセージにアクセスすることを許可する公開モードと、を含むことを特徴とする請求項２に記載のマルチメディアメッセージサービス方法。
【請求項４】
前記ステップａ）で、当該所定のマルチメディアメッセージに対するアクセス許可期限を設定することを特徴とする請求項３に記載のマルチメディアメッセージサービス方法。
【請求項５】
前記ステップｃ）で、当該所定のマルチメディアメッセージへのアクセスが遂行される場合には、前記アクセスモードに関する情報と、前記制限モードに基づく当該所定のマルチメディアメッセージへのアクセスを許可された前記予め定められた複数のユーザに関する情報と、前記アクセス許可期限に関する情報と、を含むアクセス許可条件情報が送信されることを特徴とする請求項４に記載のマルチメディアメッセージサービス方法。
【請求項６】
前記ステップａ）で、前記アクセス許可条件情報のうちの予め定められた少なくとも一つの情報は、当該所定のマルチメディアメッセージの送信の際に送信されることを特徴とする請求項５に記載のマルチメディアメッセージサービス方法。
【請求項７】
前記ステップｂ）で、前記アクセス許可条件に関連した予め定められた少なくとも一つの情報は、前記他のユーザにアクセス許可を通知する際に送信されることを特徴とする請求項６に記載のマルチメディアメッセージサービス方法。
【請求項８】
ユーザの要求に従って、当該所定のマルチメディアメッセージに設定された前記アクセス許可条件情報を前記他のユーザに提供するｄ）のステップをさらに含むことを特徴とする請求項５に記載のマルチメディアメッセージサービス方法。
【請求項９】
前記所定のマルチメディアメッセージに設定された前記アクセス許可条件情報は、前記ユーザの要求により変更されることを特徴とする請求項５に記載のマルチメディアメッセージサービス方法。
【請求項１０】
一人以上の他のユーザのアクセス許可が取り消される場合には、当該所定のマルチメディアメッセージに対する前記他のユーザのアクセス許可が取り消されることを前記他のユーザに通知するｅ）のステップをさらに含むことを特徴とする請求項６に記載のマルチメディアメッセージサービス方法。
【請求項１１】
マルチメディアメッセージサービス方法であって、
ａ）ユーザの選択に従ってアクセスモードが設定された複数のマルチメディアメッセージを格納する少なくとも一つのマルチメディアメッセージボックスを構成するステップと、
ｂ）所定の移動端末から前記マルチメディアメッセージボックスに格納されたマルチメディアメッセージ検索要求を受信するステップと、
ｃ）前記検索要求が所定のマルチメディアメッセージに対する検索要求に該当する場合には、当該所定のマルチメディアメッセージに対する前記マルチメディアメッセージボックスを検索し、前記所定の移動端末が当該所定のマルチメディアメッセージへのアクセス権限を与えられている場合には、当該所定のマルチメディアメッセージを前記所定の移動端末へ送信するステップと、
ｄ）前記検索要求に設定された検索範囲に含まれるマルチメディアメッセージボックスから前記所定の移動端末が前記アクセス権限を有するマルチメディアメッセージを検出し、検出されたマルチメディアメッセージを前記所定の移動端末へ送信するステップと、
を含むことを特徴とするマルチメディアメッセージサービス方法。
【請求項１２】
前記アクセスモードは、当該所定のマルチメディアメッセージのオーナーだけが当該所定のマルチメディアメッセージにアクセスすることを許可する非公開モードと、予め定められた複数のユーザが当該所定のマルチメディアメッセージにアクセスすることを許可する制限モードと、全てのユーザが当該所定のマルチメディアメッセージにアクセスすることを許可する公開モードと、を含むことを特徴とする請求項１１に記載のマルチメディアメッセージサービス方法。
【請求項１３】
前記ステップａ）で、前記マルチメディアメッセージに対するアクセスモードが設定される際に、各マルチメディアメッセージに対するアクセス許可期限が設定されることを特徴とする請求項１１に記載のマルチメディアメッセージサービス方法。
【請求項１４】
前記アクセス権限は、前記アクセスモードに関する情報と、前記制限モードに基づく当該所定のマルチメディアメッセージへのアクセスを許可された前記予め定められた複数のユーザに関する情報と、前記アクセス許可期限に関する情報と、を含む前記アクセス許可条件情報に基づいて決定されることを特徴とする請求項１３に記載のマルチメディアメッセージサービス方法。
【請求項１５】
前記ステップｄ）で、前記検索要求に設定された検索範囲が特定のユーザのマルチメディアメッセージボックスアカウントとして設定された場合には、当該特定のユーザのマルチメディアメッセージボックスアカウントに格納されたマルチメディアメッセージ内で前記所定の移動端末が前記アクセス権限を有するマルチメディアメッセージを検出し、検出されたマルチメディアメッセージを前記所定の移動端末へ送信することを特徴とする請求項１４に記載のマルチメディアメッセージサービス方法。
【請求項１６】
前記ステップｄ）で、前記検索要求に設定された検索範囲が全てのマルチメディアメッセージボックスアカウントとして設定された場合には、前記所定の移動端末が前記アクセス権限を有するマルチメディアメッセージは、当該全てのマルチメディアメッセージボックスに格納されたマルチメディアメッセージから検出され、検出されたマルチメディアメッセージを前記所定の移動端末へ送信することを特徴とする請求項１４に記載のマルチメディアメッセージサービス方法。
【請求項１７】
前記ステップｄ）で、前記検索要求に設定された検索範囲が検索要求者のマルチメディアメッセージボックスとして設定された場合には、前記検索要求者のマルチメディアメッセージボックスに格納された全てのマルチメディアメッセージが、前記所定の移動端末へ送信されることを特徴とする請求項１４に記載のマルチメディアメッセージサービス方法。
【請求項１８】
マルチメディアメッセージサービスシステムであって、
ユーザの要求に基づいて、マルチメディアメッセージボックスに格納された所定のマルチメディアメッセージに対するアクセスモードの設定を要求し、該アクセスモードが設定されたマルチメディアメッセージに対するアクセス許可通知を要求し、アクセス許可通知が受信された場合には、所定のマルチメディアメッセージへのアクセスを要求する移動端末と、
一人以上の他のユーザが当該所定のマルチメディアメッセージにアクセスすることを許可するように、前記アクセスモード設定要求に基づいて、当該所定のマルチメディアメッセージに対するアクセスモードを設定し、前記アクセス許可通知要求に基づいて、前記他のユーザが当該所定のマルチメディアメッセージへのアクセスを許可されたことを前記他のユーザに通知し、当該所定のマルチメディアメッセージへのアクセス要求が受信された場合には、当該所定のマルチメディアメッセージに設定されたアクセスモードに従って、当該所定のマルチメディアメッセージをアクセス要求移動端末へ送信するマルチメディアメッセージリレー／サーバと、
当該所定のマルチメディアメッセージを格納するように、前記マルチメディアメッセージサービスリレー／サーバと接続されたマルチメディアメッセージボックスと、
を含むことを特徴とするマルチメディアメッセージサービスシステム。
【請求項１９】
マルチメディアメッセージサービスシステムであって、
ユーザの要求に従ってアクセスモードが設定された複数のマルチメディアメッセージを格納するマルチメディアメッセージボックスと、
当該マルチメディアメッセージボックスに格納されたマルチメディアメッセージの検索を要求する移動端末と、
前記検索要求が所定のマルチメディアメッセージに対する検索要求に該当する場合には、当該所定のマルチメディアメッセージに対する前記マルチメディアメッセージボックスを検索し、前記移動端末が当該所定のマルチメディアメッセージへのアクセス権限を与えられている場合には、当該所定のマルチメディアメッセージを前記移動端末へ送信し、前記移動端末がアクセス権限を有するマルチメディアメッセージを前記検索要求に設定された検索範囲に含まれたマルチメディアメッセージボックスから検出し、検出されたマルチメディアメッセージを前記移動端末へ送信するマルチメディアメッセージサービスリレー／サーバと、
を含むことを特徴とするマルチメディアメッセージサービスシステム。
【発明の詳細な説明】
【技術分野】
【０００１】
本発明は、移動通信システムにおけるマルチメディアメッセージサービスに関し、特に、複数の移動端末がマルチメディアメッセージを共有できるようにするマルチメディアメッセージサービス方法及びシステムに関する。
【背景技術】
【０００２】
現在、移動通信システムは、約１５０バイトの短文メッセージを送受信する初期のサービスだけでなく、大量のテキスト、オーディオ、イメージ、及びビデオのような豊富なコンテンツを含むマルチメディアメッセージの送受信を可能にするマルチメディアメッセージサービス（Multimedia Message Service；以下、“ＭＭＳ”と称する。）を提供している。
【０００３】
かかるマルチメディアメッセージは、クライアントの要求に従って移動端末間に送受信されるか、又はマルチメディアメッセージボックスに格納されることがある。移動端末間のマルチメディアメッセージの送受信は、送信側端末が受信側端末のアドレスとともにマルチメディアメッセージを送信すると、ＭＭＳリレー／サーバが、当該マルチメディアメッセージを受信し、受信されたマルチメディアメッセージに含まれている上記受信側端末のアドレスを参照して、当該マルチメディアメッセージを上記受信側端末へ送信する方式でなされる。ＭＭＳリレー／サーバは、移動通信網に接続されており、ＭＭＳに関連した一連の動作を遂行する。マルチメディアメッセージは、特定の移動端末が該マルチメディアメッセージの格納を要求すると共に、ＭＭＳリレー／サーバに格納されるマルチメディアメッセージを送信すると、ＭＭＳリレー／サーバが、該マルチメディアメッセージを受信して、上記特定の移動端末のクライアントアカウントのマルチメディアメッセージボックス格納領域に格納する方式で、上記マルチメディアメッセージボックスに格納される。
【０００４】
上述したＭＭＳにおける移動端末間のマルチメディアメッセージを送受信する手続きに従ったメッセージの流れを図１に示す。図１は、従来のマルチメディアメッセージサービスに基づくメッセージの流れを示す図である。第１の移動端末１は、所定のマルチメディアメッセージの送信を要求するクライアントの移動端末であり、第２の移動端末７は、当該所定のマルチメディアメッセージを受信する受信側端末である。第１のＭＭＳリレー／サーバ３は、第１の移動端末１に接続され、第２のＭＭＳリレー／サーバ５は、第２の移動端末７に接続される。
【０００５】
ステップ１０１で、第１の移動端末１は、当該所定のマルチメディアメッセージを含むＭＭ１_ｓｕｂｍｉｔ．ＲＥＱメッセージを第１のＭＭＳリレー／サーバ３へ送信し、これにより、当該所定のマルチメディアメッセージを第２の移動端末７へ送信することを要求する。ステップ１０１で、第１のＭＭＳリレー／サーバ３は、ＭＭ１_ｓｕｂｍｉｔ．ＲＥＱメッセージを受信すると、ステップ１０３で、ＭＭ１_ｓｕｂｍｉｔ．ＲＥＳメッセージを第１の移動端末１へ送信することにより、第１のＭＭＳリレー／サーバ３がＭＭ１_ｓｕｂｍｉｔ．ＲＥＱメッセージを受信したことを第１の移動端末１に通知した後に、ステップ１０５を遂行する。ステップ１０５で、第１のＭＭＳリレー／サーバ３は、ＭＭ４_ｆｏｒｗａｒｄ．ＲＥＱメッセージを第２のＭＭＳリレー／サーバ５へ送信することにより、第２のＭＭＳリレー／サーバ５へ上記所定のマルチメディアメッセージの送信を要求する。ステップ１０７で、第２のＭＭＳリレー／サーバ５は、ＭＭ４_ｆｏｒｗａｒｄ．ＲＥＱメッセージに応じて、ＭＭ４_ｆｏｒｗａｒｄ．ＲＥＳメッセージを第１のＭＭＳリレー／サーバ３へ送信することにより、上記所定のマルチメディアメッセージが第２の移動端末７へ送信されることを受諾した後に、ステップ１０９を遂行する。ステップ１０９で、第２のＭＭＳリレー／サーバ５は、ＭＭ１_ｎｏｔｉｆｉｃａｔｉｏｎ．ＲＥＱメッセージを第２の移動端末７へ送信することにより、上記所定のマルチメディアメッセージが到着して第２のＭＭＳリレー／サーバ５の一時記憶領域に格納されたことを第２の移動端末７に通知する。この後、ステップ１１１で、第２の移動端末７は、ＭＭ１_ｎｏｔｉｆｉｃａｔｉｏｎ．ＲＥＱメッセージに応じたＭＭ１_ｎｏｔｉｆｉｃａｔｉｏｎ．ＲＥＳメッセージを第２のＭＭＳリレー／サーバ５へ送信した後に、ステップ１１３を遂行する。ステップ１１３で、第２の移動端末７は、ＭＭ１_ｒｅｔｒｉｅｖｅ．ＲＥＱメッセージを第２のＭＭＳリレー／サーバ５へ送信することにより、第２のＭＭＳリレー／サーバ５に上記所定のマルチメディアメッセージを検索することを要求する。ステップ１１５で、第２のＭＭＳリレー／サーバ５は、ＭＭ１_ｒｅｔｒｉｅｖｅ．ＲＥＱメッセージに応じて、上記所定のマルチメディアメッセージを含むＭＭ１_ｒｅｔｒｉｅｖｅ．ＲＥＳメッセージを第２の移動端末７へ送信した後に、ステップ１１７を遂行する。ステップ１１７で、第２の移動端末７は、ＭＭ１_ａｃｋｎｏｗｌｅｄｇｅｍｅｎｔ．ＲＥＱメッセージを第２のＭＭＳリレー／サーバ５へ送信することにより、ＭＭ１_ｒｅｔｒｉｅｖｅ．ＲＥＳメッセージの受信を知らせる。
【０００６】
移動端末間のマルチメディアメッセージの送受信は、上述したメッセージトランザクションを介してなされる。
【０００７】
上述したように、従来のマルチメディアメッセージサービスは、移動端末がそれらの間でマルチメディアメッセージを直接送受信できるようにし、また、当該マルチメディアメッセージがマルチメディアメッセージボックスに格納されることができるようにする。しかしながら、従来のマルチメディアメッセージサービスでは、マルチメディアメッセージが移動端末間に直接送信されることができるとしても、当該移動端末は、上記マルチメディアメッセージを共有することはできない。また、従来のマルチメディアメッセージサービスは、他のユーザがマルチメディアメッセージボックスに格納されたマルチメディアメッセージを共有できるようにするサービスを提供していない。このため、送信側移動端末は、複数のユーザが上記マルチメディアメッセージを共有できるようにするためには、マルチメディアメッセージを各受信側移動端末へ一々送信しなければならず、これは、ユーザにとって想到に不便である。このように、従来のマルチメディアメッセージサービスでは、複数のユーザが複数のマルチメディアメッセージを共有することができないという問題点があった。
【発明の開示】
【発明が解決しようとする課題】
【０００８】
上記背景に鑑みて、本発明の目的は、移動端末が複数のマルチメディアメッセージを共有できるようにするマルチメディアメッセージサービス方法及びシステムを提供することにある。
【０００９】
本発明の他の目的は、複数のユーザがマルチメディアメッセージを便利に共有できるようにするマルチメディアメッセージサービス方法及びシステムを提供することにある。
【００１０】
本発明のさらなる目的は、移動端末がマルチメディアメッセージボックスに格納されたマルチメディアメッセージを共有できるようにするマルチメディアメッセージサービス方法及びシステムを提供することにある。
【課題を解決するための手段】
【００１１】
上記のような目的を達成するために、本発明に係るマルチメディアメッセージサービス方法が提供される。かかる方法は、ユーザの要求に従ってマルチメディアメッセージボックスに格納された所定のマルチメディアメッセージに対するアクセスモードを設定するステップと、当該所定のマルチメディアメッセージへのアクセス要求が他のユーザから受信された場合には、当該他のユーザが上記設定されたアクセスモードに基づいて当該所定のマルチメディアメッセージへのアクセスを認められるか否かを決定し、当該所定のマルチメディアメッセージを送信するステップと、を含むことを特徴とする。
【発明の効果】
【００１２】
本発明は、マルチメディアメッセージボックスに格納されたマルチメディアメッセージを共有して検索するための構成を提供する。本発明の構成によれば、マルチメディアメッセージサービスクライアントは、マルチメディアメッセージボックスに格納されるか、または、アップロードされたあるマルチメディアメッセージに対するアクセスモード（“公開”、“制限”、又は“非公開”）を設定しうる。マルチメディアメッセージとの共有が許可された場合には、該マルチメディアメッセージへのアクセス許可を受けたマルチメディアメッセージサービスクライアントは、上記共有されたマルチメディアメッセージへのアクセス許可通知を受けることができる。このマルチメディアメッセージサービスクライアントがマルチメディアメッセージの一覧又は検索を要求する場合には、このマルチメディアメッセージサービスリレー／サーバは、このマルチメディアメッセージサービスクライアントが該マルチメディアメッセージへのアクセス許可を受けたか否かを確認する。このマルチメディアメッセージサービスクライアントが該マルチメディアメッセージへのアクセス許可を受けている場合には、このマルチメディアメッセージサービスリレー／サーバは、このマルチメディアメッセージサービスクライアントが該マルチメディアメッセージにアクセスできるようにする。また、本発明は、このマルチメディアメッセージサービスクライアントが他のユーザのマルチメディアメッセージを検索できるようにする構成を提供する。検索ドメインは、ユーザのマルチメディアメッセージの小さな集合に限定されるか、又は全てのユーザに拡張されることもできる。該マルチメディアメッセージのオーナーであるマルチメディアメッセージサービスクライアントは、アクセスモードをいつでも変更することができ、それに従って、関係者に通知することができる。
【発明を実施するための最良の形態】
【００１３】
以下、本発明の好適な一実施形態を、添付図面を参照しつつ詳細に説明する。本発明の実施形態の下記の説明において、本発明の要旨のみを明瞭にする目的で、関連した公知の機能又は構成に関する具体的な説明は省略する。
【００１４】
図２を参照して、本発明が適用されるマルチメディアメッセージサービス（Multimedia Message Service；以下、“ＭＭＳ”と称する。）システムの構成 について説明する。図２は、本発明が適用されるＭＭＳシステムの構成を示すブロック図である。ＭＭＳシステムは、複数の移動端末１０及び２０と、移動通信網７０と、複数のＭＭＳリレー／サーバ３０及び４０と、複数のマルチメディアメッセージボックス（Multimedia Message box；以下、“ＭＭボックス”と称する。）５０及び６０とを含む。
【００１５】
移動端末１０及び２０は、移動通信網７０を介して無線で相互に通信し、ユーザの要求により、マルチメディアメッセージを送信し、本発明に基づいて、ユーザの要求に従ってＭＭボックス５０及び６０に格納されたマルチメディアメッセージの管理に関連した動作を遂行する。本発明の一実施形態では、移動端末１０及び２０は、第１の移動端末（第１の端末）１０及び第２の移動端末（第２の端末）２０を含む。ここで、第１の移動端末１０は、ＭＭボックスに所定のマルチメディアメッセージを格納し、該格納されたマルチメディアメッセージに対するアクセス許可を設定し、該格納されたマルチメディアメッセージへのアクセスを許可された移動端末へアクセス許可通知を送信する。第２の移動端末２０は、該格納されたマルチメディアメッセージへのアクセスを許可された端末であり、上記アクセス許可通知を受信し、該格納されたマルチメディアメッセージを検索し、該格納されたマルチメディアメッセージを抽出してダウンロードする。
【００１６】
ＭＭＳリレー／サーバ３０及び４０は、移動通信網７０を介して複数の移動端末１０及び２０と接続され、ＭＭＳリレー／サーバ３０及び４０も移動通信網７０を介して相互に接続される。ＭＭＳリレー／サーバ３０及び４０は、ユーザの要求に従ってマルチメディアメッセージサービスを実行するシステム要素であり、また、ＭＭＳネットワークの中心要素である。すなわち、ＭＭＳリレー／サーバ３０及び４０は、他のＭＭＳリレー／サーバだけでなく、電子メールのような他のメッセージングシステムとも連動して、メッセージ格納サービスも提供する。該メッセージ格納サービスは、ＭＭＳリレー／サーバ自身が提供することもあり、又は、後述するＭＭボックスが提供することもある。それぞれのＭＭＳリレー／サーバ３０又は４０は、２つの構成要素、すなわち、移動端末１０及び２０と他のメッセージングシステムとの相互作用のためのＭＭＳプロキシリレーと、上記格納サービスのためのＭＭＳサーバとに区分される。ＭＭＳリレー／サーバ３０及び４０は、第１のＭＭＳリレー／サーバ３０と、第２のＭＭＳリレー／サーバ４０とを含む。第１のＭＭＳリレー／サーバ３０は、移動通信網７０を介して第１の移動端末１０と接続され、第２のＭＭＳリレー／サーバ４０は、移動通信網７０を介して第２の移動端末２０と接続される。本実施形態において、移動端末が移動通信網７０を介してＭＭＳリレー／サーバと接続される場合には、これは、当該移動端末がＭＭＳリレー／サーバのサービスエリア内に位置することを意味する。
【００１７】
ＭＭボックス５０及び６０は、ＭＭＳリレー／サーバ３０及び４０と関連した格納装置にそれぞれ相当し、持続的であり、ネットワーク基盤のメッセージの格納のために使用される。移動端末１０及び２０は、ＭＭボックス５０及び６０に格納されたメッセージを管理するためにＭＭＳリレー／サーバ３０及び４０と相互に情報をやりとりすることができる。ＭＭボックス５０及び６０は、第１のＭＭボックス５０と第２のＭＭボックス６０とを含み、第１のＭＭボックス５０は、第１のＭＭＳリレー／サーバ３０と接続され、第２のＭＭボックス６０は、第２のＭＭＳリレー／サーバ４０と接続される。
【００１８】
上述したようなマルチメディアメッセージシステムによれば、移動端末は、所定のマルチメディアメッセージをＭＭＳリレー／サーバへ送信してＭＭボックスに格納する。また、移動端末は、他の移動端末が当該マルチメディアメッセージにアクセスすることができるように、当該ＭＭボックスに格納されたマルチメディアメッセージのアクセス許可条件を設定して、当該格納されたマルチメディアメッセージへのアクセス許可を受けた他の移動端末へアクセス許可通知を送信する。また、移動端末は、アクセスが許可されたマルチメディアメッセージ（アクセス許可マルチメディアメッセージ）にアクセスすることができ、ＭＭボックスに格納された他のユーザのアクセスマルチメディアメッセージを検索してアクセスすることができる。
【００１９】
従って、ＭＭＳリレー／サーバは、ユーザの要求により、所定のマルチメディアメッセージをＭＭボックスに格納し、アクセス許可の設定に対するユーザの要求に基づいて、当該格納されたマルチメディアメッセージのアクセス許可条件を設定するか、又は変更する。ＭＭＳリレー／サーバは、アクセス許可通知要求又はアクセス許可条件変更要求に基づいて該当する端末へアクセス許可通知を送信する。また、移動端末からマルチメディアメッセージ検索要求を受信した場合には、ＭＭＳリレー／サーバは、当該検索を要求する移動端末のアクセス権限を所定のマルチメディアメッセージのアクセス許可条件と比較して、提供可能なマルチメディアメッセージを検索し、検索されたマルチメディアメッセージを当該検索を要求する移動端末へ送信する。
【００２０】
以下、本発明によるＭＭＳシステムの動作について、図３乃至図１５を参照して詳細に説明する。まず、図３を参照して、本発明が適用される移動端末の構成について説明する。図３は、本発明が適用される移動端末の構成を示すブロック図である。
【００２１】
移動端末は、制御部１１、カメラモジュール１３、ディスプレー装置１５、キー入力部１７、ベースバンド処理部１９、ＲＦ（無線周波数）モジュール２１、及びメモリ部２３を含む。
【００２２】
カメラモジュール１３は、イメージセンサーによって得られる画像フレームを出力する。
【００２３】
ディスプレー装置１５は、各種画像情報と、基地局から受信された、又はメモリ部２３に記憶されているデータ情報とを制御部１１の制御によりスクリーン上に表示する。
【００２４】
キー入力部１７は、０〜９の数字キーと、‘＊’及び‘＃’のシンボルキーと、方向キーと、移動端末が備える複数の機能に対応する‘メニュー’、‘選択’、‘送信’、‘削除’、‘電源オン／電源オフ’、及び‘ボリューム’等の複数の機能キーとを含む。キー入力部１７は、ユーザが押さえるキーに対応するキー入力データを制御部１１に供給する。
【００２５】
ＲＦモジュール２１は、アンテナを介して基地局との間で無線信号を送受信する。詳細には、ＲＦモジュール２１は、ベースバンド処理部１９を介して制御部１１から入力された送信信号を変調して、アンテナを介してＲＦ信号を送信し、アンテナを介して受信されたＲＦ信号を復調し、復調された信号をベースバンド処理部１９を介して制御部１１に供給する。ベースバンド処理部１９は、ＲＦモジュール２１と制御部１１との間で送受信されるベースバンド信号を処理する。
【００２６】
メモリ部２３は、制御部１１の処理及び制御動作のためのプログラム、参照データ、更新されることができる各種保管用データ、及び多様なマルチメディアデータなどを記憶し、記憶されたプログラム及びデータを制御部１１のワーキングメモリ（working memory）に供給する。このマルチメディアデータは、ＭＭＳの際には、マルチメディアメッセージに含まれて送信されるコンテンツを示す。例えば、マルチメディアデータは、音源データ、動画データ、イメージデータ、及びテキストデータを含む。
【００２７】
メモリ部２３は、ＭＭＳの実行に必要とされるプログラムデータを格納し、本発明の一実施形態によるマルチメディアメッセージアクセス管理メニューに関連したプログラムデータを格納する。当該マルチメディアメッセージアクセス管理メニューは、ＭＭボックスに格納されたマルチメディアメッセージを他の移動端末と共有するように、アクセス許可を設定するために使用され、マルチメディアメッセージに関連して、アクセス許可設定及び変更メニュー、アクセス許可条件情報提供メニュー、アクセス許可通知メニュー、及びマルチメディアメッセージ検索メニューを含む。
【００２８】
アクセス許可設定及び変更メニューは、ＭＭボックスに格納されたマルチメディアメッセージへのアクセスを許可し、該マルチメディアメッセージのアクセス許可条件を変更するために使用される。かかるアクセス許可設定又は変更は、マルチメディアメッセージに対するアクセス許可条件を設定するか、又は、予め設定されたアクセス許可条件を変更することによってなされる。当該アクセス許可条件は、アクセスモードと、アクセスユーザ情報と、アクセス期限と、アクセスディスプレーリストとを含む。
【００２９】
アクセスモードは、このマルチメディアメッセージに関連したアクセス許可レベルを示す。本発明の一実施形態によれば、３つのモード、すなわち、非公開（private）モード、制限（restricted）モード、及び公開（public）モードを含む。非公開モードは、上記マルチメディアメッセージのオーナーだけがこのマルチメディアメッセージにアクセスすることができることを意味する。制限モードは、上記オーナーによって特定されたユーザの制限リストだけが所定のマルチメディアメッセージへのアクセス許可を受けることを意味する。公開モードは、全てのユーザが当該所定のマルチメディアメッセージへのアクセス許可を受けることを意味する。アクセス許可条件が設定される際に、アクセスモードが特定されていない場合には、上記３つのモードのうちのいずれか一つを基本値として設定する。
【００３０】
上記アクセスユーザ情報は、アクセスモードが制限モードとして設定されている場合には、所定のマルチメディアメッセージにアクセスすることができるユーザのリストを示す。
【００３１】
上記アクセス期限は、該当するマルチメディアメッセージのアクセスモードが制限モード又は公開モードとして設定された場合には、該当するメッセージへのアクセスの満了時間を示す。
【００３２】
上記アクセスディスプレーリストは、所定のマルチメディアメッセージへのアクセスを許可された移動端末に提供されることができるアクセス許可条件に関する情報を含み、アクセスモード情報、アクセスユーザ情報、及びアクセス期限情報を含むこともある。例えば、上記アクセスディスプレーリストが当該アクセスモード情報を含む場合には、所定のマルチメディアメッセージにアクセスする移動端末のユーザは、自身のアクセスレベルが分かる。また、上記アクセスディスプレーリストがアクセスユーザ情報を含む場合には、所定のマルチメディアメッセージにアクセスする移動端末のユーザは、当該マルチメディアメッセージにアクセスすることができる他の移動端末のユーザが分かる。しかしながら、上記アクセスディスプレーリストに含まれないアクセス許可条件情報は、所定のマルチメディアメッセージにアクセスする移動端末に提供されない。上記アクセスディスプレーリストが特定されていない場合には、所定のマルチメディアメッセージに基本リストが適用される。基本リストは、サービスプロバイダーにより定義される。基本リストが存在しない場合には、アクセス許可条件が提供されないこともある。
【００３３】
かかるアクセス許可条件の設定の際に、設定されるアクセスモードが非公開モードである場合には、上記アクセスユーザ情報及びアクセス期限は、特定される必要がない。このアクセスユーザ情報は、上記アクセスモードが上記制限モードとして設定される場合に特定されることが好ましい。また、このアクセス期限は、上記アクセスモードが制限モード又は公開モードとして設定される場合に特定されることが好ましく、上記アクセスディスプレーリストは、全ての要求に従って独立して特定されることもある。
【００３４】
上記アクセス許可条件情報提供メニューは、移動端末のユーザに属しているマルチメディアメッセージに設定されたアクセス許可条件に関する情報をＭＭＳリレー／サーバに要求するために使用される。
【００３５】
上記アクセス許可通知メニューは、マルチメディアメッセージへのアクセス許可を受けた移動端末に上記アクセスが許可されたことを通知することを、ＭＭＳリレー／サーバに要求するために使用される。かかるアクセス許可通知メニューを用いて、当該ユーザは、アクセス許可通知要求メッセージにアクセス通知又は共有マルチメディア通知を設定することもあり、アクセス通知リストを設定することもある。当該アクセス通知リストは、マルチメディアメッセージアクセス許可通知の際に、上記アクセスが許可された移動端末に提供されたアクセス許可条件のリストを示す。
【００３６】
上記マルチメディアメッセージ検索メニューは、ＭＭボックスに格納されたマルチメディアメッセージを検索するために使用される。
【００３７】
制御部１１は、音声通信、データ通信、及び移動端末内の付加機能のような移動端末の全体の動作を処理する。本発明の一実施形態によれば、上記マルチメディアメッセージをＭＭＳリレー／サーバへ送信する場合には、制御部１１は、ユーザにより選択されたメニュー項目に従って、適切な情報及びマルチメディアメッセージを含むメッセージをＭＭＳリレー／サーバへ送信する。
【００３８】
本発明の一実施形態において、上記移動端末がＭＭボックスに格納されたマルチメディアメッセージに対するアクセス許可条件の設定／変更を行う手続きについて、図４を参照して説明する。図４は、本発明の一実施形態によるアクセス許可条件を設定する手順に基づく移動端末の動作を示すフローチャートである。マルチメディアメッセージアクセス管理モードの下で、ステップ２０１で、所定のマルチメディアメッセージをＭＭボックスに格納するための要求がある場合には、移動端末の制御部１１は、ステップ２０７へ進む。他方、かかる要求がない場合には、制御部１１は、ステップ２０３へ進む。上記所定のマルチメディアメッセージを上記ＭＭボックスへ送信又は格納する場合には、ＭＭＳリレー／サーバの仮のアドレス情報が、上記所定のマルチメディアメッセージに含まれるか、又は添付されることがある。ステップ２０３で、当該所定のマルチメディアメッセージに対するアクセス許可設定変更の要求がある場合には、制御部１１は、ステップ２０５へ進む。一方、かかる要求がない場合には、制御部１１は、対応する所定の動作を遂行する。ステップ２０５で、制御部１１は、当該所定のマルチメディアメッセージのＭＭボックス格納位置情報を要求メッセージに挿入することにより、該要求メッセージを生成し、ステップ２０７へ進む。ステップ２０７で、制御部１１は、マルチメディアメッセージアクセス許可設定／変更メニューを表示し、ステップ２０９へ進む。ステップ２０９で、制御部１１は、ユーザの選択に基づく要求メッセージに、アクセスモード情報、アクセスユーザ情報、アクセス期限情報、及びアクセスディスプレーリストを設定し、当該要求メッセージをＭＭＳリレー／サーバへ送信した後に、上記手順を終了する。
【００３９】
この際、制御部１１は、発信者情報、すなわち、移動端末の電話番号又は発信者の位置を示す情報を当該要求メッセージに挿入しなければならない。これは、かかる情報が、上記所定のマルチメディアメッセージが上記移動端末のユーザに属していることを示すためである。
【００４０】
上記要求メッセージを受信したＭＭＳリレー／サーバの動作を図６に示す。図６は、本発明の一実施形態によるアクセス許可条件を設定する手順に基づくＭＭＳリレー／サーバの動作を示すフローチャートである。ここで、アクセス許可が設定されていないマルチメディアメッセージに対するアクセス許可を設定することもでき、マルチメディアメッセージに対してすでに設定されたアクセス許可を変更することもできる。図６を参照すると、ステップ３０１で、所定のマルチメディアメッセージに関連した要求を受信した場合には、ＭＭＳリレー／サーバは、ステップ３０３へ進む。ステップ３０３で、ＭＭＳリレー／サーバは、当該受信された要求が上記所定のマルチメディアメッセージに対するアクセス許可設定又は変更の要求であるか否かを判定する。該判定の結果、ステップ３０３で、当該受信された要求が上記所定のマルチメディアメッセージに対するアクセス許可設定又は変更要求である場合には、ＭＭＳリレー／サーバは、ステップ３０５へ進む。これに対して、ステップ３０３で、当該受信された要求が上記所定のマルチメディアメッセージに対するアクセス許可設定又は変更要求ではない場合には、ＭＭＳリレー／サーバは、「１」へ進んで、図７のステップ３１９を遂行する。ステップ３０５で、ＭＭＳリレー／サーバは、上記所定のマルチメディアメッセージが、アクセスが許可されることができるマルチメディアメッセージ（アクセスが許可されたマルチメディアメッセージ）であるか否かを判定する。該判定の結果、ステップ３０５で、上記所定のマルチメディアメッセージが、アクセスが許可されることができるマルチメディアメッセージである場合には、ＭＭＳリレー／サーバは、ステップ３０７へ進む。これに対して、ステップ３０５で、上記所定のマルチメディアメッセージが、アクセスが許可されることができないマルチメディアメッセージである場合には、ＭＭＳリレー／サーバは、ステップ３１７へ進む。ステップ３１７で、ＭＭＳリレー／サーバは、エラーメッセージを送信し、「２」へ進んで、ステップ３０１へ戻る。
【００４１】
この際、上記所定のマルチメディアメッセージが、上記アクセスが許可されることができるマルチメディアメッセージであるか否かを判定するためには、ＭＭＳリレー／サーバは、次のような基準を確認する。一番目に、ＭＭＳリレー／サーバは、上記所定のマルチメディアメッセージがＭＭボックスにすでに格納されているか、又はＭＭボックスに格納されるように要求された有効マルチメディアメッセージであるか否かを確認する。上記所定のマルチメディアメッセージがＭＭＳリレー／サーバに一時的に格納されたマルチメディアメッセージである場合には、アクセス許可は、設定されることができない。上記一番目の基準に関連して、ＭＭＳリレー／サーバは、上記所定のマルチメディアメッセージがすでに格納されているマルチメディアメッセージであることを対応する移動端末に通知することもあり、又は、重ね書き動作を遂行することもある。二番目に、上記所定のマルチメディアメッセージがＭＭＳリレー／サーバにすでに格納されているマルチメディアメッセージである場合には、ＭＭＳリレー／サーバは、アクセス許可設定又は変更を要求したユーザが上記所定のマルチメディアメッセージのオーナーであるか否かを確認する。かかる確認は、当該要求を発信する移動端末の発信者情報を用いてなされることができる。三番目に、ＭＭＳリレー／サーバは、上記所定のマルチメディアメッセージが複数のユーザと共有してはならないマルチメディアメッセージに該当するか否かを確認する。例えば、フォワードロック（forward-lock）タイプのディジタル権利管理（Digital Rights Management；ＤＲＭ）により保護されたマルチメディアメッセージがある。
【００４２】
図６をさらに参照すると、ステップ３０７で、ＭＭＳリレー／サーバは、受信されたアクセス許可条件情報を把握してステップ３０９へ進む。ステップ３０９で、ＭＭＳリレー／サーバは、当該受信されたアクセス許可条件情報が矛盾したアクセス許可条件を含むか否かを検査する。該検査の結果、矛盾したアクセス許可条件が存在する場合には、ＭＭＳリレー／サーバは、ステップ３１１へ進む。一方、矛盾したアクセス許可条件が存在しない場合には、ステップ３１３へ進む。ここで、例えば、“矛盾したアクセス許可条件”は、アクセスモードが制限モードとして設定されているのに、アクセスユーザ情報が設定されている場合を示す。ステップ３１１では、上記受信されたアクセス許可条件情報に矛盾したアクセス許可条件が存在するので、ＭＭＳリレー／サーバは、最優先順位を有するアクセス許可条件を適用することにより、上記所定のマルチメディアメッセージに対するアクセス許可条件を設定した後に、ステップ３１５へ進む。この場合には、ＭＭＳリレー／サーバは、上記アクセス許可設定又は変更要求に含まれたアクセス許可条件の中から上記規制力が最も強いアクセス許可条件を優先させることにより、上記所定のマルチメディアメッセージに対するアクセス許可条件を設定する。ここで、規制力が強いアクセス許可条件は、最小数のユーザのみが所定のマルチメディアメッセージ、又は上記所定のマルチメディアメッセージに設定されるアクセス許可条件情報を共有できるようにするアクセス許可条件を意味する。例えば、上記制限モードは、上記公開モードより規制力が強いアクセス許可条件を有する。ステップ３１３では、上記受信されたアクセス許可条件情報に矛盾したアクセス許可条件が存在しないので、ＭＭＳリレー／サーバは、上記所定のマルチメディアメッセージに対するアクセス許可条件を設定し、ステップ３１５へ進む。すなわち、ＭＭＳリレー／サーバは、上記アクセス許可設定又は変更要求に含まれたアクセス許可条件に基づいて、上記ＭＭボックスに格納された所定のマルチメディアメッセージに対するアクセス許可条件を設定する。ステップ３１５で、ＭＭＳリレー／サーバは、アクセス許可通知要求が上記アクセス許可設定又は変更要求に含まれるか否かを検査する。該検査の結果、上記アクセス許可通知要求が上記アクセス許可設定又は変更要求に含まれている場合には、ＭＭＳリレー／サーバは、「３」へ進んで、図９のステップ３２９を遂行する。他方、上記アクセス許可通知要求が上記アクセス許可設定又は変更要求に含まれていない場合には、ＭＭＳリレー／サーバは、「２」へ進んで、ステップ３０１へ戻る。これは、上記アクセス許可設定又は変更要求メッセージがアクセス許可通知要求を含むことがあるためである。
【００４３】
次いで、図５を参照して、移動端末が所定のマルチメディアメッセージに設定されたアクセス許可条件情報を要求する手順について説明する。図５は、本発明の一実施形態によるアクセス許可条件情報を要求する手順に基づく移動端末の動作を示すフローチャートである。ステップ２２１で、ＭＭボックスに格納された所定のマルチメディアメッセージに設定されたアクセス許可条件に関連した情報提供がユーザにより要求される場合には、移動端末の制御部１１は、ステップ２２３へ進む。ステップ２２３で、制御部１１は、ユーザの選択に基づく検索対象マルチメディアメッセージの位置情報リスト又は選択基準を設定し、ステップ２２５へ進む。ステップ２２５で、制御部１１は、アクセス許可条件情報提供要求メッセージをＭＭＳリレー／サーバへ送信した後に、上記手順を終了する。当該“検索対象マルチメディアメッセージ”の選択基準は、特定のアクセスモード、特定のアクセス期限、特定のユーザ情報のうちの全て又は一部を含んでもよい。例えば、上記選択基準が上記制限モードとして設定される場合には、アクセスモードが上記制限モードとして設定されたマルチメディアメッセージのみが検索対象となる。
【００４４】
上記アクセス許可条件情報提供要求メッセージを受信したＭＭＳリレー／サーバの動作を図７に示す。図７は、本発明の一実施形態によるアクセス許可条件情報を提供する手順に基づくＭＭＳリレー／サーバの動作を示すフローチャートである。図６及び図７を参照すると、ＭＭＳリレー／サーバは、図６のステップ３０１で、マルチメディアメッセージに関連した要求を受信した場合には、当該受信されたマルチメディアメッセージに関連した要求の種類を確認し、図７のステップ３１９へ進む。ステップ３１９で、ＭＭＳリレー／サーバは、当該受信された要求がアクセス許可条件情報提供要求に該当するか否かを判定する。当該受信された要求がアクセス許可条件情報提供要求に該当する場合には、ＭＭＳリレー／サーバは、ステップ３２１へ進む。一方、当該受信された要求がアクセス許可条件情報提供要求に該当しない場合には、ＭＭＳリレー／サーバは、「４」へ進んで、図９のステップ３２５を遂行する。ステップ３２１で、ＭＭＳリレー／サーバは、上記検索対象マルチメディアメッセージの位置情報又は選択基準を把握して、ステップ３２３へ進む。ステップ３２３で、ＭＭＳリレー／サーバは、所定のマルチメディアメッセージ及び該所定のマルチメディアメッセージに設定されたアクセス許可条件を検索し、該検索されたメッセージ及びその条件を移動端末へ送信し、「２」へ進んで、図６のステップ３０１へ戻る。
【００４５】
この後、上記マルチメディアメッセージのアクセス許可設定／変更又はアクセス許可条件情報提供に対する要求に関連した動作を遂行するための本発明による移動端末とＭＭＳリレー／サーバとの間のトランザクションについて説明する。
【００４６】
第１の方法は、従来のＭＭＳトランザクションの代わりに、新たな専用トランザクションを採用する。すなわち、ＭＭ１_ｍｍｂｏｘ_ｓｅｔ_ａｃｃｅｓｓメッセージが、マルチメディアメッセージに対するアクセス許可を設定するか又は変更するためのトランザクションに追加され、ＭＭ１_ｍｍｂｏｘ_ｇｅｔ_ａｃｃｅｓｓメッセージが、一つ以上のマルチメディアメッセージに対するアクセス許可条件の提供を受けるためのトランザクションに追加される。
【００４７】
すなわち、アクセス許可設定又は変更を要求する移動端末は、ＭＭ１_ｍｍｂｏｘ_ｓｅｔ_ａｃｅｓｓ．ＲＥＱメッセージをアクセス許可設定／変更要求メッセージとして使用する。このため、ＭＭ１_ｍｍｂｏｘ_ｓｅｔ_ａｃｅｓｓ．ＲＥＱメッセージのヘッダーは、発信者アドレス、ＭＭボックス内の所定のマルチメディアメッセージの位置情報、アクセスモード情報、アクセスユーザ情報、アクセス期限情報、及びアクセスディスプレーリストなどを含むアクセス許可条件情報を備える。ＭＭ１_ｍｍｂｏｘ_ｓｅｔ_ａｃｅｓｓ．ＲＥＱメッセージを受信したＭＭＳリレー／サーバは、図６に示す手順を遂行する。これにより、ＭＭ１_ｍｍｂｏｘ_ｓｅｔ_ａｃｅｓｓ．ＲＥＳメッセージを移動端末へ送信して、上記アクセス許可設定又は変更要求が成功裡に完了したことを移動端末に通知する。又は、エラーメッセージを送信して、エラーが発生したことを移動端末に通知する。
【００４８】
アクセス許可条件情報提供を要求する場合には、移動端末は、ＭＭ１_ｍｍｂｏｘ_ｇｅｔ_ａｃｃｅｓｓ．ＲＥＱメッセージをアクセス許可条件情報提供要求メッセージとして使用する。従って、ＭＭ１_ｍｍｂｏｘ_ｇｅｔ_ａｃｃｅｓｓ．ＲＥＱメッセージのヘッダーは、検索対象マルチメディアメッセージの位置情報リストを含まなければならない。ＭＭ１_ｍｍｂｏｘ_ｇｅｔ_ａｃｃｅｓｓ．ＲＥＱメッセージを受信したＭＭＳリレー／サーバは、図７に示す手順を遂行する。ここで、ＭＭＳリレー／サーバは、検索結果として得られたマルチメディアメッセージの位置情報及びマルチメディアメッセージに関連したアクセス許可条件情報をＭＭ１_ｍｍｂｏｘ_ｇｅｔ_ａｃｃｅｓｓ．ＲＥＳメッセージのヘッダー又はボディーに挿入し、ＭＭ１_ｍｍｂｏｘ_ｇｅｔ_ａｃｃｅｓｓ．ＲＥＳメッセージを移動端末へ送信する。この際、当該要求が満足されることができない場合、例えば、メッセージが発見されない場合には、ＭＭＳリレー／サーバは、エラー状態を含むＭＭ１_ｍｍｂｏｘ_ｇｅｔ_ａｃｃｅｓｓ．ＲＥＳメッセージを提供しなければならない。
【００４９】
上記マルチメディアメッセージのアクセス許可設定／変更又はアクセス許可条件に対する要求に関連した動作を遂行するためには、本発明による移動端末とＭＭＳリレー／サーバとの間の２番目のトランザクションは、上記マルチメディアメッセージサービスのために使用される従来のトランザクションを採用する。本発明の実施形態によれば、当該トランザクションは、従来のトランザクションに含まれた動作が遂行されている間に、本発明の動作を遂行するための要求を含むことがある。例えば、上記アクセス許可条件は、上記マルチメディアメッセージが上記ＭＭボックスにアップロードされている間に、設定されることができる。
【００５０】
まず、マルチメディアメッセージに対するアクセス許可を設定するために使用されるトランザクションは、ＭＭ１_ｍｍｂｏｘ_ｕｐｌｏａｄ．ＲＥＱメッセージ、ＭＭ１_ｍｍｂｏｘ_ｓｔｏｒｅ．ＲＥＱメッセージ、ＭＭ１_ｓｕｂｍｉｔ．ＲＥＱメッセージ、又は、ＭＭ１_ｆｏｒｗａｒｄ．ＲＥＱメッセージを使用することができる。マルチメディアメッセージに設定されたアクセス許可を変更するためのトランザクションは、ＭＭ１_ｍｍｂｏｘ_ｓｔｏｒｅ．ＲＥＱメッセージを使用することができ、一つ以上のマルチメディアメッセージのアクセス許可属性を見るためのトランザクションは、ＭＭ１_ｍｍｂｏｘ_ｖｉｅｗ．ＲＥＱメッセージを使用することができる。
【００５１】
ＭＭ１_ｍｍｂｏｘ_ｕｐｌｏａｄ．ＲＥＱメッセージは、上記マルチメディアメッセージを上記ＭＭボックスにアップロードする間に、移動端末が上記マルチメディアメッセージに対するアクセス許可の設定を要求するのに使用され、ＭＭ１_ｍｍｂｏｘ_ｓｔｏｒｅ．ＲＥＱメッセージは、ＭＭＳリレー／サーバの一時的な格納から上記ＭＭボックスに移動して格納している間に、移動端末がマルチメディアメッセージに対するアクセス許可設定を要求するのに使用される。ＭＭ１_ｓｕｂｍｉｔ．ＲＥＱメッセージは、送信されるマルチメディアメッセージが提出されている間に、使用されることができ、ＭＭ１_ｆｏｒｗａｒｄ．ＲＥＱメッセージは、上記マルチメディアメッセージが送信されている間に、上記マルチメディアメッセージが上記ＭＭボックスに格納されなければならないことを要求し、上記マルチメディアメッセージに対するアクセス許可設定を要求するために使用されることができる。この際、各メッセージのヘッダーは、所定のマルチメディアメッセージの各々に関するアクセス許可条件情報を含まなければならず、ＭＭ１_ｍｍｂｏｘ_ｓｔｏｒｅ．ＲＥＱメッセージは、アクセス許可が設定されるマルチメディアメッセージの位置情報を追加的に含まなければならない。
【００５２】
上記ＭＭボックスに格納されているマルチメディアメッセージのアクセス許可属性を変更するためには、ＭＭ１_ｍｍｂｏｘ_ｓｔｏｒｅ．ＲＥＱメッセージを使用する。移動端末がＭＭ１_ｍｍｂｏｘ_ｓｔｏｒｅ．ＲＥＱメッセージを用いてアクセス許可変更を要求する場合には、ＭＭ１_ｍｍｂｏｘ_ｓｔｏｒｅ．ＲＥＱメッセージは、ＭＭ１_ｍｍｂｏｘ_ｓｔｏｒｅ．ＲＥＱメッセージの発信者アドレスと、ＭＭボックス内の該当するマルチメディアメッセージの位置情報と、アクセスモード情報と、アクセスユーザ情報と、アクセス期限情報と、アクセスディスプレーリストなどとを含むアクセス許可条件情報を含まなければならない。この際、上記位置情報は、上記ＭＭボックスにすでに格納されているマルチメディアメッセージを示さなければならない。これは、要求された行為が新たなマルチメディアメッセージを上記ＭＭボックスに格納するのではなく、上記ＭＭボックスにすでに格納されているマルチメディアメッセージの属性を変更するものであることをＭＭＳリレー／サーバに通知する。
【００５３】
上記移動端末が上記ＭＭボックスにすでに格納されているマルチメディアメッセージに設定されたアクセス許可条件の提供を要求する場合には、ＭＭ１_ｍｍｂｏｘ_ｖｉｅｗ．ＲＥＱメッセージを使用する。ＭＭ１_ｍｍｂｏｘ_ｖｉｅｗ．ＲＥＱメッセージに含まれている情報を＜表１＞に示す。＜表１＞は、ＭＭ１_ｍｍｂｏｘ_ｖｉｅｗ．ＲＥＱメッセージのヘッダーに含まれている情報を示す。
【００５４】
【表１】
2008537670.tif 000003
ＭＭ１_ｍｍｂｏｘ_ｖｉｅｗ．ＲＥＱメッセージは、非常にフレキシブルであり、マルチメディアメッセージに関するある情報を取得するのに使用されることができる。＜表１＞に示す情報は、アクセス許可条件情報提供要求に従って検索されるマルチメディアメッセージを選択する基準として使用され、該選択された各マルチメディアメッセージに設定されたアクセス許可条件の中から、上記移動端末に提供されるアクセス許可条件情報を選択する基準として使用される。
【００５５】
上記の＜表１＞に示す位置情報リストは、上記ＭＭボックス内のマルチメディアメッセージの位置情報を示し、これにより、上記移動端末は、上記位置情報リストを用いて特定のマルチメディアメッセージに関するアクセス許可条件情報の提供を要求することができる。
【００５６】
検索対象マルチメディアメッセージに関するアクセス許可条件情報の中から、実際に提供される所望のアクセス許可条件情報のタイトル（値でないもの）は、上記の＜表１＞に示す属性リストに含まれなければならない。例えば、属性リストが、アクセスモード情報、アクセスユーザ情報、アクセス期限情報、及びアクセスディスプレーリストを含むように設定された場合には、提供される各マルチメディアメッセージに設定された全てのアクセス許可条件情報が、上記移動端末に提供される。この際、マルチメディアメッセージに関連したアクセスディスプレーリストは、上記マルチメディアメッセージのオーナーのみに提供される。
【００５７】
上記選択基準は、検索対象となるマルチメディアメッセージに対する選択基準としてアクセス許可条件情報を設定するために使用され、ユーザの選択に従って一つ以上のアクセス許可条件が設定される。例えば、アクセスモードが制限モードに設定されることがある。この場合には、該アクセスモードが該制限モードに設定されたマルチメディアメッセージが、検索対象として選択され、当該マルチメディアメッセージ及び当該マルチメディアメッセージの各々に関するアクセス許可条件情報が、ＭＭ１_ｍｍｂｏｘ_ｖｉｅｗ．ＲＥＳメッセージに含まれて送信される。また、上記選択基準が“アクセスユーザ＝＜所定の移動端末のアドレス＞”、“アクセス期限＝２００５年５月３１日００:００:００”、及び“アクセスディスプレーリスト＝アクセスモード及びアクセス期限”を含む場合には、上記所定の移動端末にアクセスが許可され、２００５年５月３１日前にアクセス期限が終了し、又は、上記アクセスディスプレーリストが“アクセスモード”及び“アクセス期限”を含むように設定されているマルチメディアメッセージが検索され、上記マルチメディアメッセージに関連したアクセス許可条件情報が移動端末へ送信される。上記“位置情報リスト”が特定される場合には、他の選択基準は、特定されるべきではない。
【００５８】
最終的には、上記の＜表１＞に示す基準を満足する情報が、ＭＭ１_ｍｍｂｏｘ_ｖｉｅｗ．ＲＥＳメッセージに含まれる。例えば、上記選択基準が公開モードとして設定され、属性リストが上記アクセス期限を含む場合には、アクセスモードが公開モードとして設定されたマルチメディアメッセージのみが選択され、該選択されたマルチメディアメッセージに設定されたアクセス期限情報は、ＭＭ１_ｍｍｂｏｘ_ｖｉｅｗ．ＲＥＳメッセージに含まれて送信される。
【００５９】
ＭＭ１_ｍｍｂｏｘ_ｖｉｅｗ．ＲＥＱメッセージを受信した場合には、ＭＭＳリレー／サーバは、上記の＜表１＞の位置情報リストが特定されるか否かを検査し、上記位置情報リストが特定される場合には、ＭＭＳリレー／サーバは、上記位値情報リストに基づくマルチメディアメッセージを選択し、他の選択基準は、無視する。その後、ＭＭＳリレー／サーバは、上記の＜表１＞の属性リストに含まれているアクセス許可条件情報に基づいて選択されたマルチメディアメッセージに設定されたアクセス許可条件情報を検出し、該検出されたアクセス許可条件情報を上記選択されたマルチメディアメッセージと結合させることにより、ＭＭ１_ｍｍｂｏｘ_ｖｉｅｗ．ＲＥＳメッセージとともに、該検出されたアクセス許可条件情報を要請移動端末へ送信する。
【００６０】
ＭＭＳリレー／サーバで受信されたＭＭ１_ｍｍｂｏｘ_ｖｉｅｗ．ＲＥＱメッセージが上記位置情報リストを含んでいない場合には、ＭＭＳリレー／サーバは、ＭＭ１_ｍｍｂｏｘ_ｖｉｅｗ．ＲＥＱメッセージの選択基準がアクセスモード、アクセスユーザ情報、アクセス期限、又は、アクセスディスプレーリストを含むか否かを検査し、上記選択基準に含まれているアクセス許可条件に該当するマルチメディアメッセージを選択する。その後、ＭＭＳリレー／サーバは、該選択されたマルチメディアメッセージ及び上記属性リストによりフィルタリングされたアクセス許可条件情報をＭＭ１_ｍｍｂｏｘ_ｖｉｅｗ．ＲＥＳメッセージに挿入し、ＭＭ１_ｍｍｂｏｘ_ｖｉｅｗ．ＲＥＳメッセージを上記要請移動端末へ送信する。
【００６１】
次いで、図９乃至図１２を参照して、アクセス許可設定通知に基づくＭＭＳシステムの動作手順について説明する。上記アクセス許可設定通知は、所定のマルチメディアメッセージへのアクセスが許可されるか、又は設定されたアクセス許可が取り消されることを上記所定のマルチメディアメッセージへのアクセスが許可されることができる移動端末に通知するのに使用され、これに対する全システムの動作を図８に示す。図８は、本発明の一実施形態によるアクセス許可条件情報を要求する手順に基づく移動端末の動作フローを示す図である。ここで、第１の移動端末１０は、該所定のマルチメディアメッセージに対するアクセス許可を設定し、所定のマルチメディアメッセージを共有するか否かを決定する。第２の移動端末２０は、該所定のマルチメディアメッセージへのアクセスを許可された端末である。第１の移動端末１０及び第２の移動端末２０は、第１のＭＭＳリレー／サーバ３０及び第２のリレー／サーバ４０の各々に接続される。ＭＭボックスが図８に示されていないが、ＭＭＳリレー／サーバと対応するＭＭボックスとの間にインターフェースが存在すると仮定する。ステップ“ａ”で、第１の移動端末１０は、所定のマルチメディアメッセージへのアクセスが許可されることを第２の移動端末２０に通知するようにＭＭＳリレー／サーバに要求する。かかるアクセス許可通知要求は、アクセス許可があらかじめ設定されたマルチメディアメッセージに対して出されてもよいし、または、アクセス許可設定要求と共に出されてもよい。ステップ“ｂ”で、第１のＭＭＳリレー／サーバ３０は、第２の移動端末２０が所定のマルチメディアメッセージに関するアクセス許可通知を受信することができるように、上記アクセス許可通知要求に基づいて、第２のＭＭＳリレー／サーバ４０へアクセス許可通知を送信する。ステップ“ｃ”で、第２のＭＭＳリレー／サーバ４０は、当該アクセス許可通知を第２の移動端末２０へ送信することにより、第１の移動端末１０がＭＭボックスに格納された所定のマルチメディアメッセージへのアクセスを許可したことを第２の移動端末２０に通知して、上記所定のマルチメディアメッセージに関する位置情報を第２の移動端末２０に提供する。ステップ“ｄ”で、第２の移動端末２０は、アクセスが許可されたマルチメディアメッセージを検索することを第２のＭＭＳリレー／サーバ４０に要求する。ステップ“ｅ”で、第２のＭＭＳリレー／サーバ４０は、マルチメディアメッセージ検索要求を第１のＭＭＳリレー／サーバ３０へ送信する。ステップ“ｆ”で、第１のＭＭＳリレー／サーバ３０は、発信要求者（すなわち、第２の移動端末２０）が上記所定のマルチメディアメッセージの検索に対するアクセス権限を有するか否かを確認する。確認の結果、第２の移動端末２０がアクセス権限を有する場合には、第１のＭＭＳリレー／サーバ３０は、上記所定のマルチメディアメッセージを含む応答を第２のＭＭＳリレー／サーバ４０へ送信する。そうでなければ、第１のＭＭＳリレー／サーバ３０は、上記アクセス権限に対する応答のみを送信することもあり、第２の移動端末２０又は第２のＭＭＳリレー／サーバ４０は、第１の移動端末１０のマルチメディアメッセージを格納したサーバにアクセスして、上記所定のマルチメディアメッセージを上記サーバからダウンロードすることもある。ステップ“ｇ”で、第２のＭＭＳリレー／サーバ４０は、上記検索要求に応じて、該所定のマルチメディアメッセージを第２の移動端末２０へ送信する。第１の移動端末１０及び第２の移動端末２０が同一のＭＭＳリレー／サーバに接続される場合には、ＭＭＳリレー／サーバ間のトランザクション（すなわち、ステップ“ｂ”、“ｅ”、及び“ｆ”）を遂行する必要がない。
【００６２】
上記アクセス許可通知手順は、発信者アドレスと、受信者アドレスと、位置情報と、アクセス通知と、アクセス通知リストと、アクセス許可条件情報と、アクセス許可関連情報と、を含む情報を必要とする。
【００６３】
所定のマルチメディアメッセージに対するアクセス許可を設定し、設定されたアクセス許可に関する通知を送信する場合には、上記発信者アドレスは、当該所定のマルチメディアメッセージのオーナーである移動端末のアドレスを示す。所定のマルチメディアメッセージを検索する場合には、上記発信者アドレスは、当該所定のマルチメディアメッセージに対するアクセス許可を受けて、上記所定のマルチメディアメッセージを検索することを要求する移動端末のアドレスを示す。
【００６４】
上記受信者アドレスは、上記アクセス許可通知を受信する受信側移動端末のアドレスを示す。共有マルチメディアメッセージを検索する場合には、上記受信者アドレスは、該共有マルチメディアメッセージのオーナーを示し、これにより、該共有マルチメディアメッセージを保有しているＭＭＳリレー／サーバのアドレスを確認するのに役立つ。
【００６５】
上記位置情報は、ＭＭボックス内の所定のマルチメディアメッセージの格納位値を示し、アクセスが許可された移動端末が該マルチメディアメッセージを検索するか、又は、該所定のマルチメディアメッセージに関する情報を検索する際に使用される。
【００６６】
上記アクセス通知（又は共有許可関連値）は、“ｙｅｓ”及び“ｎｏ”の２つの値のうちのいずれか１つを取ることができる。ここで、“ｙｅｓ”は、所定のマルチメディアメッセージに対するアクセス許可が設定されて、該所定のマルチメディアメッセージが共有され、その結果、これに関連した通知が該所定のマルチメディアメッセージへのアクセスを許可された移動端末へ送信されるべきであることを意味する。
【００６７】
上記アクセス通知リストは、マルチメディアメッセージアクセス許可通知の際に、アクセスが許可された移動端末に提供されるアクセス許可条件のリストを示す。当該アクセス通知リストは、上記アクセスディスプレーリストと同一の機能を有するが、アクセス通知リスト及び上記アクセスディスプレーリストは、次のような相互に異なる特徴を有する。上記アクセスディスプレーリストがマルチメディアメッセージに関する情報を検索又は検討するための要求がある際に使用されるが、上記アクセス通知リストは、マルチメディアメッセージのアクセス許可通知のコンテンツに含まれて提供される。
【００６８】
上記アクセス通知リストがアクセス許可通知要求において特定されている場合には、上記アクセス通知リストに含まれたアクセス許可条件情報が、該当するアクセス許可通知に含まれなければならない。これに対して、上記アクセス通知リストがアクセス許可通知要求において特定されていない場合には、該当するアクセス許可通知は、当該マルチメディアメッセージと関連しているアクセスディスプレーリストに基づくアクセス許可条件情報を含まなければならない。上記アクセス通知リストと上記アクセスディスプレーリストとのどちらも使用することができない場合には、例えば、サービスプロバイダーにより定義されたデフォルトディスプレーリストが存在すれば、上記デフォルトリストを使用する。この際、上記デフォルトディスプレーリストが使用されることができない場合には、上記アクセス許可通知は、何らのアクセス許可条件情報も含まない。
【００６９】
上記アクセス許可関連情報は、アクセス許可通知がマルチメディアメッセージへのアクセスを許可するものであるか、それとは逆に、該マルチメディアメッセージへのアクセスを取り消すものであるかを示すのに使用される。上記アクセス許可関連情報は、“ｙｅｓ”及び“ｎｏ”の２つの値のうちの１つを取ることができる。ここで、“ｙｅｓ”は、アクセスが許可されたことを意味するが、“ｎｏ”は、アクセスが取り消されたことを意味する。上記デフォルト値は、“ｙｅｓ”とならなければならない。
【００７０】
図８のステップ“ａ”で説明されるように、移動端末がユーザの要求に従って、所定のマルチメディアメッセージに対するアクセス許可通知を要求する場合には、発信者アドレス、受信者アドレス、所定のマルチメディアメッセージに関する位置情報、及びアクセス通知リストを含むアクセス許可通知要求メッセージをＭＭＳリレー／サーバへ送信する。
【００７１】
上記アクセス許可通知要求メッセージを受信したＭＭＳリレー／サーバは、図９に示す手順を遂行する。図９は、本発明の一実施形態によるアクセス許可通知手順に基づくＭＭＳリレー／サーバの動作を示すフローチャートである。図６及び図９を参照すると、図６のステップ３０１で、ＭＭＳリレー／サーバがマルチメディアメッセージに関連した動作メッセージを受信した場合には、ＭＭＳリレー／サーバは、受信したマルチメディアメッセージに関連した動作メッセージのタイプにより、図９のステップ３２５へ進む。ステップ３２５で、ＭＭＳリレー／サーバは、受信したマルチメディアメッセージに関連した動作メッセージが所定のマルチメディアメッセージに対するアクセス許可通知要求メッセージに該当するか否かを判定する。該判定の結果、受信した動作メッセージが所定のマルチメディアメッセージに対するアクセス許可通知要求メッセージに該当する場合には、ＭＭＳリレー／サーバは、ステップ３２７へ進行し、一方、受信した動作メッセージが上記所定のマルチメディアメッセージに対するアクセス許可通知要求メッセージに該当しない場合には、ＭＭＳリレー／サーバは、「５」へ進んで、図１４のステップ３５１を遂行する。ステップ３２７で、ＭＭＳリレー／サーバは、アクセス許可通知が上記所定のマルチメディアメッセージに使用可能であるか否かを判定する。該判定の結果、該アクセス許可通知が上記所定のマルチメディアメッセージに使用可能である場合には、ＭＭＳリレー／サーバは、ステップ３２９へ進む。他方、上記所定のマルチメディアメッセージがそのようなメッセージではない場合には、ＭＭＳリレー／サーバは、ステップ３４９へ進む。ステップ３４９で、ＭＭＳリレー／サーバは、エラーメッセージを送信し、「２」へ進んで、図６のステップ３０１へ戻る。ステップ３２９で、ＭＭＳリレー／サーバは、上記アクセス許可通知要求メッセージがアクセス通知リストを含むか否かを確認する。この際、上記アクセス許可通知要求メッセージがアクセス通知リストを含む場合には、ＭＭＳリレー／サーバは、ステップ３３１へ進む。一方、かかるリストを含んでいない場合には、ＭＭＳリレー／サーバは、ステップ３３９へ進む。ステップ３３１で、ＭＭＳリレー／サーバは、上記所定のマルチメディアメッセージに設定されたアクセスディスプレーリストと上記アクセス通知リストとを比較することにより、一致するアクセス許可条件情報を検出し、ステップ３３３へ進む。
【００７２】
一方、ステップ３３９で、ＭＭＳリレー／サーバは、上記所定のマルチメディアメッセージに設定されたアクセスディスプレーリストが存在するか否かを確認する。この際、上記所定のマルチメディアメッセージに設定されたアクセスディスプレーリストが存在する場合には、ＭＭＳリレー／サーバは、ステップ３４１へ進む。一方、かかるリストが存在しない場合には、ＭＭＳリレー／サーバは、ステップ３４３へ進む。ステップ３４１で、ＭＭＳリレー／サーバは、上記アクセスディスプレーリストからアクセス許可条件情報を検出し、ステップ３３３へ進む。
【００７３】
ステップ３４３で、ＭＭＳリレー／サーバは、デフォルトリストが上記所定のマルチメディアメッセージに設定されているか否かを確認する。該デフォルトリストが上記所定のマルチメディアメッセージに設定されている場合には、ＭＭＳリレー／サーバは、ステップ３４５へ進む。他方、該デフォルトリストが上記所定のマルチメディアメッセージに設定されていない場合には、ＭＭＳリレー／サーバは、ステップ３３７へ進む。ステップ３４５で、ＭＭＳリレー／サーバは、当該デフォルトリストからアクセス許可条件情報を検出し、ステップ３３３へ進む。
【００７４】
ステップ３３３で、ＭＭＳリレー／サーバは、上記所定のマルチメディアメッセージから該検出されたアクセス許可条件情報に対応する情報を検出し、該検出された情報をアクセス許可通知に挿入して、ステップ３３５へ進む。ステップ３３５で、ＭＭＳリレー／サーバは、上記アクセス許可通知を受信する移動端末がサービスエリア内に位置するか否かを検査する。該検査の結果、上記アクセス許可通知を受信する移動端末がサービスエリア内に位置する場合には、ＭＭＳリレー／サーバは、ステップ３３７へ進む。一方、移動端末がサービスエリア内に位置しない場合には、ＭＭＳリレー／サーバは、ステップ３４７へ進んで、上記アクセス許可通知を所定のリレー／サーバへ送信する。ステップ３３７で、ＭＭＳリレー／サーバは、上記アクセス許可通知を移動端末へ送信し、「２」へ進んで、図６のステップ３０１へ戻る。
【００７５】
次いで、図１０乃至図１２を参照して、本発明の実施形態によるアクセス許可通知に基づく移動端末とＭＭＳリレー／サーバとの間のトランザクションについて説明する。当該アクセス許可通知に基づく移動端末とＭＭＳリレー／サーバとの間のトランザクションは、新たに追加されたトランザクションのみによって遂行されてもよく、従来のトランザクションを用いて遂行されてもよく、または、新たに追加されたトランザクションと上記従来のトランザクションとの組合せにより遂行されてもよい。
【００７６】
まず、図１０を参照して、アクセス許可通知に基づく移動端末とＭＭＳリレー／サーバとの間で必要とされる全てのトランザクションが新たに追加される本発明の第１の実施形態について説明する。図１０は、本発明の第１の実施形態によるアクセス許可通知手順に基づくメッセージの流れを示す図である。図１０に示す手順に基づく新たに追加されたトランザクションを＜表２＞に示す。＜表２＞は、本発明の第１の実施形態における、上記アクセス許可通知手順に基づく新たに追加されるトランザクション及び対応する動作の概観を示す。＜表２＞に示す新たに追加されたトランザクションに関連したステップは、図８を参照して説明したステップに対応する。
【００７７】
【表２】
2008537670.tif 000004
移動端末のアクセス許可通知要求は、独立してなされることもあり、所定のマルチメディアメッセージに対するアクセス許可設定又は変更とともになされることもある。このため、上記トランザクションは、アクセス許可通知を独立して要求するためのＭＭ１_ｓｅｎｄ_ｎｏｔｉｆ．ＲＥＱ／ＲＥＳメッセージ、及び、アクセス許可設定又は変更と共にアクセス許可通知を要求するためのＭＭ１_ｍｍｂｏｘ_ｓｅｔ_Ａｃｃｅｓｓ．ＲＥＱ／ＲＥＳメッセージを含む。
【００７８】
図８を参照すると、ステップ“ａ”で、第１の移動端末１０は、所定のマルチメディアメッセージへのアクセスが許可されたことを第２の移動端末２０に通知することを第１のＭＭＳリレー／サーバ３０に要求するために、ＭＭ１_ｓｅｎｄ_ｎｏｔｉｆ．ＲＥＱ／ＲＥＳメッセージを第１のＭＭＳリレー／サーバ３０へ送信する。この際、ＭＭ１_ｓｅｎｄ_ｎｏｔｉｆ．ＲＥＱ／ＲＥＳメッセージは、発信者アドレス、受信者アドレス、上記所定のマルチメディアメッセージの位置情報、及びアクセス通知リストを含む情報を備える。ＭＭ１_ｓｅｎｄ_ｎｏｔｉｆ．ＲＥＱ／ＲＥＳメッセージを受信した場合には、第１のＭＭＳリレー／サーバ３０は、上記要求を承諾するか又は拒絶するための応答を含むＭＭ１_ｓｅｎｄ_ｎｏｔｉｆ．ＲＥＳメッセージを第１の移動端末１０へ送信した後に、図９に示した動作手順を遂行する。
【００７９】
図１０を参照すると、ステップ４０１で、第１の移動端末１０は、所定のマルチメディアメッセージのアクセスモードを制限モードとして設定することを第１のＭＭＳリレー／サーバ３０に要求して、該所定のマルチメディアメッセージにアクセスすることができるユーザに関する情報を提供する。これと同時に、第１の移動端末１０は、該所定のマルチメディアメッセージへのアクセスが許可されることを上記ユーザ情報に含まれている受信者に通知することをＭＭ１_ｍｍｂｏｘ_ｓｅｔ_ａｃｅｓｓ．ＲＥＱメッセージを通じて第１のＭＭＳリレー／サーバ３０に要求する。このため、ＭＭ１_ｍｍｂｏｘ_ｓｅｔ_ａｃｅｓｓ．ＲＥＱメッセージは、発信者アドレス、該所定のマルチメディアメッセージの位置情報、アクセスモード、アクセスユーザ情報、アクセス期限情報、アクセスディスプレーリスト、アクセス通知、及びアクセス通知リストなどを含む。
【００８０】
ＭＭ１_ｍｍｂｏｘ_ｓｅｔ_ａｃｅｓｓ．ＲＥＱメッセージを受信すると、第１のＭＭＳリレー／サーバ３０は、ステップ４０３で、上記要求を承諾する応答メッセージとしてＭＭ１_ｍｍｂｏｘ_ｓｅｔ_ａｃｅｓｓ．ＲＥＳメッセージを第１の移動端末１０へ送信する。その後、第１のＭＭＳリレー／サーバ３０は、図９に示す動作手順を遂行することにより、アクセス許可通知をＭＭ４_ｎｏｔｉｆｉｃａｔｉｏｎ．ＲＥＱメッセージに挿入し、ステップ４０５で、ＭＭ４_ｎｏｔｉｆｉｃａｔｉｏｎ．ＲＥＱメッセージを第２のＭＭＳリレー／サーバ４０へ送信する。当該アクセス許可通知は、発信者アドレス、受信者アドレス、及び所定のマルチメディアメッセージの位置情報を含み、上記通知リストに含まれている情報に基づくアクセスモード、アクセスユーザ情報、及びアクセス期限情報も含む。ＭＭ４_ｎｏｔｉｆｉｃａｔｉｏｎ．ＲＥＱメッセージは、従来のトランザクションのためのＭＭ１_ｎｏｔｉｆｉｃａｔｉｏｎ．ＲＥＱメッセージと類似した機能を有する。ここで、本発明の第１の実施形態による図１０の手順に基づいて検索されるマルチメディアメッセージは発信側リレー／サーバに存在するので、上記トランザクションの適用は、発信側リレー／サーバと受信側リレー／サーバとの間のトランザクションに拡張される。
【００８１】
ＭＭ４_ｎｏｔｉｆｉｃａｔｉｏｎ．ＲＥＱメッセージを受信した場合には、ステップ４０７で、第２のＭＭＳリレー／サーバ４０は、ＭＭ４_ｎｏｔｉｆｉｃａｔｉｏｎ．ＲＥＱメッセージに応じて、ＭＭ４_ｎｏｔｉｆｉｃａｔｉｏｎ．ＲＥＳメッセージを第１のＭＭＳリレー／サーバ３０へ送信した後に、ステップ４０９へ進む。ステップ４０９で、第２のＭＭＳリレー／サーバ４０は、上記所定のマルチメディアメッセージへのアクセス許可が第１の移動端末１０により設定されたことを第２の移動端末２０に通知するために、ＭＭ１_ｎｏｔｉｆ_ｓｈａｒｅ．ＲＥＱメッセージを第２の移動端末２０へ送信する。ステップ４１１で、第２の移動端末２０は、ＭＭ１_ｎｏｔｉｆ_ｓｈａｒｅ．ＲＥＱメッセージに応じたＭＭ１_ｎｏｔｉｆ_ｓｈａｒｅ．ＲＥＳメッセージを送信し、受信した情報をユーザに提供した後に、ステップ４１３へ進む。ここで、ＭＭ１_ｎｏｔｉｆ_ｓｈａｒｅ．ＲＥＱメッセージは、発信者アドレス及び所定のマルチメディアメッセージの位置情報を含み、また、ＭＭ４_ｎｏｔｉｆｉｃａｔｉｏｎ．ＲＥＱメッセージを通じて受信したアクセスモード情報、アクセスユーザ情報、及びアクセス期限情報を含む。
【００８２】
ステップ４１３で、第２の移動端末２０は、受信したアクセス許可通知の対象であるマルチメディアメッセージの検索を要求するために、ユーザの要求に従って、ＭＭ１_ｒｅｔｒｉｅｖｅ_ｓｈａｒｅ．ＲＥＱメッセージを第２のＭＭＳリレー／サーバ４０へ送信する。ＭＭ１_ｒｅｔｒｉｅｖｅ_ｓｈａｒｅ．ＲＥＱメッセージは、発信者アドレス、受信者アドレス、及び所定のマルチメディアメッセージの位置情報を含む。ここで、当該発信者アドレスは、第２の移動端末２０のアドレスに該当し、当該受信者アドレスは、第１の移動端末１０のアドレスに該当する。この際、第２の移動端末２０が、検索を要求されたマルチメディアメッセージと関連したアクセスユーザ情報及び／又はアクセス期限情報をすでに受信して格納した場合には、第２の移動端末２０は、ユーザの検索要求が当該アクセスユーザ情報及びアクセス期限情報に適合するか否かを判定する。該判定の結果、上記ユーザの検索要求が当該アクセスユーザ情報及び／又はアクセス期限情報に適合しない場合には、これをユーザに知らせる。かかる判定手順は、第２のＭＭＳリレー／サーバ４０によっても遂行される。すなわち、ステップ４１３で、第２のＭＭＳリレー／サーバ４０がＭＭ１_ｒｅｔｒｉｅｖｅ_ｓｈａｒｅ．ＲＥＱメッセージを受信して、上記所定のマルチメディアメッセージに関連したアクセスユーザ情報及びアクセス期限情報を格納している場合には、第２のＭＭＳリレー／サーバ４０は、所定のマルチメディアメッセージに関連した検索要求が上記アクセスユーザ情報及び上記アクセス期限情報に適合するか否かを判定する。該判定の結果、上記ユーザの検索要求が上記アクセスユーザ情報及び／又は上記アクセス期限情報に適合しない場合には、これをユーザに知らせる。これに対して、上記ユーザの検索要求が上記アクセスユーザ情報及び／又は上記アクセス期限情報に適合する場合には、第２のＭＭＳリレー／サーバ４０は、上記所定のマルチメディアメッセージが第２のＭＭＳリレー／サーバ４０と接続されたＭＭボックス６０に存在するか否かを判定する。上記所定のマルチメディアメッセージがＭＭボックス６０に存在しない場合には、第２のＭＭＳリレー／サーバ４０は、ステップ４１５へ進んで、上記所定のマルチメディアメッセージを所有している第１のＭＭＳリレー／サーバ３０へＭＭ４_ｒｅｔｒｉｅｖｅ．ＲＥＱメッセージを送信し、これにより、第１のリレー／サーバ３０が上記所定のマルチメディアメッセージを検索することを要求する。ＭＭ４_ｒｅｔｒｉｅｖｅ．ＲＥＱメッセージを受信すると、第１のＭＭＳリレー／サーバ３０は、上記検索要求者（すなわち、第２の移動端末２０）が上記所定のマルチメディアメッセージへのアクセスが許可された移動端末であるか否かを確認する。該確認の結果、第２の移動端末２０が、アクセスが許可された移動端末である場合には、第１のＭＭＳリレー／サーバ３０は、ステップ４１７へ進んで、上記要求されたマルチメディアメッセージを含むＭＭ４_ｒｅｔｒｉｅｖｅ．ＲＥＳメッセージを第２のリレー／サーバ４０へ送信する。ここで、ＭＭ４_ｒｅｔｒｉｅｖｅ．ＲＥＱメッセージは、発信者アドレス（すなわち、第２の移動端末２０のアドレス）及び上記��定のマルチメディアメッセージの位置情報を含む。上記検索要求者（すなわち、第２の移動端末２０）が上記所定のマルチメディアメッセージへのアクセスが許可された移動端末であるか否かを第１のＭＭＳリレー／サーバ３０が判定する手順は、次の通りである。まず、第１のＭＭＳリレー／サーバ３０は、上記要求されたマルチメディアメッセージが第１のＭＭＳリレー／サーバ３０と接続された第１のＭＭボックス５０に存在するか否かを確認する。確認の結果、上記要求されたマルチメディアメッセージが第１のＭＭボックス５０に存在する場合には、第１のＭＭＳリレー／サーバ３０は、上記所定のマルチメディアメッセージが共有されることができるか否かを判定するために、上記所定のマルチメディアメッセージのアクセスモードを検査する。上記所定のマルチメディアメッセージのアクセスモードが制限モードとして設定されている場合には、第１のＭＭＳリレー／サーバ３０は、上記発信者アドレスが上記所定のマルチメディアメッセージと関連したアクセスユーザ情報に含まれているか否かを確認する。上記所定のマルチメディアメッセージに対するアクセス期限が設定されている場合には、第１のＭＭＳリレー／サーバ３０は、該設定されたアクセス期限が満了したか否かを確認する。かかる全ての条件が満足される場合には、第１のＭＭＳリレー／サーバ３０は、上記所定のマルチメディアメッセージをＭＭ４_ｒｅｔｒｉｅｖｅ．ＲＥＳメッセージのボディー部分に挿入することにより、上記所定のマルチメディアメッセージをＭＭ４_ｒｅｔｒｉｅｖｅ．ＲＥＳメッセージとともに送信する。この際、上記要求されたマルチメディアメッセージに設定されたアクセスディスプレーリストが存在する場合には、第１のＭＭＳリレー／サーバ３０は、上記アクセスディスプレーリストに含まれているアクセス許可条件情報を送信されるＭＭ４_ｒｅｔｒｉｅｖｅ．ＲＥＳメッセージのヘッダーに挿入する。
【００８３】
従って、ＭＭ４_ｒｅｔｒｉｅｖｅ．ＲＥＳメッセージは、発信者アドレス（すなわち、第１の移動端末１０のアドレス）、受信者アドレス（すなわち、第２の移動端末２０のアドレス）、及び所定のマルチメディアメッセージを含み、場合によって、アクセスモード情報、アクセスユーザ情報、及びアクセス期限情報を追加的に含むこともある。
【００８４】
ステップ４１７で、ＭＭ４_ｒｅｔｒｉｅｖｅ．ＲＥＳメッセージを受信した場合には、第２のＭＭＳリレー／サーバ４０は、ＭＭ１_ｒｅｔｒｉｅｖｅ_ｓｈａｒｅ．ＲＥＳメッセージを第２の移動端末２０へ送信することにより、第２の移動端末２０の検索要求に応答する。ＭＭ１_ｒｅｔｒｉｅｖｅ_ｓｈａｒｅ．ＲＥＳメッセージは、発信者アドレス（すなわち、第１の移動端末１０のアドレス）、受信者アドレス（すなわち、第２の移動端末２０のアドレス）、及び所定のマルチメディアメッセージを含み、アクセスモード情報、アクセスユーザ情報、及びアクセス期限情報などの情報エレメントがＭＭ４_ｒｅｔｒｉｅｖｅ．ＲＥＳメッセージに含まれている場合には、これらの情報エレメントを追加的に含むこともある。ＭＭ１_ｒｅｔｒｉｅｖｅ_ｓｈａｒｅ．ＲＥＳメッセージを受信した場合には、第２の移動端末２０は、受信した情報をユーザが見ることができるように、受信した情報を表示する。
【００８５】
次いで、図１１を参照して、本発明の第２の実施形態による、従来のトランザクションを用いてマルチメディアメッセージに対するアクセス許可を移動端末に通知する手順について説明する。図１１は、本発明の第２の実施形態によるアクセス許可通知手順に基づくメッセージの流れを示す図である。＜表３＞は、図１１に示す手順に使用される従来のトランザクションの概観を示しており、本発明の第１の実施形態に基づく新たに追加されたトランザクションに対応させて示している。
【００８６】
【表３】
2008537670.tif 000005
図１１を参照すると、ステップ４３１で、第１の移動端末１０は、ＭＭ１_ｓｕｂｍｉｔ．ＲＥＱメッセージを第１のＭＭＳリレー／サーバ３０へ送信して、所定のマルチメディアメッセージへのアクセスが許可されることを第２の移動端末２０に通知することを第１のＭＭＳリレー／サーバ３０に要求する。ＭＭ１_ｓｕｂｍｉｔ．ＲＥＱメッセージを受信した場合には、第１のＭＭＳリレー／サーバ３０は、第１の移動端末１０のＭＭ１_ｓｕｂｍｉｔ．ＲＥＱメッセージに応じたＭＭ１_ｓｕｂｍｉｔ．ＲＥＳメッセージを送信することにより、アクセス許可通知要求が受諾されたことを第１の移動端末１０に通知する。
【００８７】
ＭＭ１_ｓｕｂｍｉｔ．ＲＥＱメッセージは、発信者アドレス、受信者アドレス、上記所定のマルチメディアメッセージの位置情報、アクセス通知リスト、及び上記所定のマルチメディアメッセージに関する共有許可関連値を含む。かかるＭＭ１_ｓｕｂｍｉｔ．ＲＥＱメッセージは本来マルチメディアメッセージとともに送信されるものであるので、ＭＭ１_ｓｕｂｍｉｔ．ＲＥＱメッセージは、アクセス許可通知要求メッセージとしてＭＭ１_ｓｕｂｍｉｔ．ＲＥＱメッセージを使用する場合を本来の使用と区分するために、上記所定のマルチメディアメッセージに関する共有許可関連値を含まなければならない。従って、ＭＭ１_ｓｕｂｍｉｔ．ＲＥＱメッセージを受信した場合には、第１のＭＭＳリレー／サーバ３０は、上記マルチメディアメッセージに関する共有許可関連値が“ｙｅｓ”であるか否かを確認しなければならない。上記マルチメディアメッセージに関する共有許可関連値が“ｙｅｓ”である場合には、第１のＭＭＳリレー／サーバ３０は、ＭＭ１_ｓｅｎｄ_ｎｏｔｉｆ．ＲＥＱメッセージの受信の時と同一の動作を遂行する。
【００８８】
図１１には図示されていないが、ステップ４３１で、第１の移動端末１０は、ＭＭ１_ｍｍｂｏｘ_ｕｐｌｏａｄ．ＲＥＱメッセージを送信することによりアクセス許可を設定し、それにより、アクセス許可通知を要求することもある。ＭＭ１_ｍｍｂｏｘ_ｕｐｌｏａｄ．ＲＥＱメッセージを受信した場合には、第１のＭＭＳリレー／サーバ３０は、ＭＭ１_ｍｍｂｏｘ_ｕｐｌｏａｄ．ＲＥＱメッセージに応じて、ＭＭ１_ｍｍｂｏｘ_ｕｐｌｏａｄ．ＲＥＳメッセージを第１の移動端末１０へ送信する。ＭＭ１_ｍｍｂｏｘ_ｕｐｌｏａｄ．ＲＥＱメッセージは、発信者アドレス、アクセスモード、アクセスユーザ情報、アクセス期限情報、アクセスディスプレーリスト、アクセス通知、アクセス通知リスト、及びアップロードされるマルチメディアメッセージを含む。ＭＭ１_ｍｍｂｏｘ_ｕｐｌｏａｄ．ＲＥＱメッセージを受信した場合には、第１のＭＭＳリレー／サーバ３０は、受信したマルチメディアメッセージをＭＭボックスに格納し、上記格納されたマルチメディアメッセージの位置情報を第１の移動端末１０へ送信する。この際、ＭＭＳリレー／サーバ３０は、アクセス許可条件設定に関連した動作及びアクセスが許可される移動端末に対する通知を、ＭＭ１_ｍｍｂｏｘ_ｓｅｔ_ａｃｅｓｓ．ＲＥＱメッセージの受信の時と同一の方式で遂行する。
【００８９】
また、図１１には図示されていないが、ステップ４３１で、第１の移動端末１０は、ＭＭ１_ｍｍｂｏｘ_ｓｔｏｒｅ．ＲＥＱメッセージを送信することにより、アクセス許可を設定し、それにより、アクセス許可通知を要求することもある。ＭＭ１_ｍｍｂｏｘ_ｓｔｏｒｅ．ＲＥＱメッセージは、ＭＭ１_ｍｍｂｏｘ_ｓｅｔ_ａｃｅｓｓ．ＲＥＱメッセージの情報と同一の情報を含む。第１の移動端末１０は、発信者アドレス、ＭＭボックス内のマルチメディアメッセージの位置情報、アクセス通知、及びアクセス通知リストのみをＭＭ１_ｍｍｂｏｘ_ｓｔｏｒｅ．ＲＥＱメッセージに挿入することにより、ＭＭＳリレー／サーバが所定のマルチメディアメッセージに対するアクセス許可設定を変更せず、該所定のマルチメディアメッセージへのアクセス許可に関する通知を送信することを要求することもある。
【００９０】
図１１をさらに参照すると、ステップ４３５で、第１のＭＭＳリレー／サーバ３０は、ＭＭ４_ｆｏｒｗａｒｄ．ＲＥＱメッセージを第２のＭＭＳリレー／サーバ４０へ送信し、それにより、第２のＭＭＳリレー／サーバ４０に上記アクセス許可を通知する。すなわち、第１のＭＭＳリレー／サーバ３０は、図９に示した手順を遂行することにより、アクセス許可通知情報をＭＭ４_ｆｏｒｗａｒｄ．ＲＥＱメッセージに挿入して第２のＭＭＳリレー／サーバ４０へ送信する。当該アクセス許可通知情報は、発信者アドレス、受信者アドレス、及び所定のマルチメディアメッセージの位置情報を含み、上記通知リストに含まれている情報に基づいて、アクセスモード、アクセスユーザ情報、及びアクセス期限情報を追加的に含むこともある。また、ＭＭ４_ｆｏｒｗａｒｄ．ＲＥＱメッセージは、ＭＭ１_ｓｕｂｍｉｔ．ＲＥＱメッセージと同一の理由で、上記所定のマルチメディアメッセージに関する共有許可関連値を含む。従って、ＭＭ４_ｆｏｒｗａｒｄ．ＲＥＱメッセージを受信した場合には、まず、第２のＭＭＳリレー／サーバ４０は、当該共有マルチメディアメッセージを上記受信されたＭＭ４_ｆｏｒｗａｒｄ．ＲＥＱメッセージから検出して、ＭＭ４_ｆｏｒｗａｒｄ．ＲＥＱメッセージの目的を把握し、該目的に基づいて、ＭＭ４_ｆｏｒｗａｒｄ．ＲＥＱメッセージを処理する。
【００９１】
第２のＭＭＳリレー／サーバ４０は、ステップ４３７で、ＭＭ４_ｆｏｒｗａｒｄ．ＲＥＱメッセージに応じて、ＭＭ４_ｆｏｒｗａｒｄ．ＲＥＳメッセージを送信して、ステップ４３９へ進む。ステップ４３９で、第２のＭＭＳリレー／サーバ４０は、ＭＭ１_ｎｏｔｉｆｉｃａｔｉｏｎ．ＲＥＱメッセージを第２の移動端末２０へ送信し、これにより、上記所定のマルチメディアメッセージへのアクセス許可の設定を第２の移動端末２０に通知する。ＭＭ１_ｎｏｔｉｆｉｃａｔｉｏｎ．ＲＥＱメッセージを受信した場合には、ステップ４４１で、第２の移動端末２０は、ＭＭ１_ｎｏｔｉｆｉｃａｔｉｏｎ．ＲＥＱメッセージに応じたＭＭ１_ｎｏｔｉｆｉｃａｔｉｏｎ．ＲＥＳメッセージを第２のＭＭＳリレー／サーバ４０へ送信する。ＭＭ１_ｎｏｔｉｆｉｃａｔｉｏｎ．ＲＥＱメッセージは、発信者アドレス及び上記所定のマルチメディアメッセージの位置情報を含み、ＭＭ４_ｆｏｒｗａｒｄ．ＲＥＱメッセージを通じて受信されたアクセスモード情報、アクセスユーザ情報、アクセス期限情報、及び上記所定のマルチメディアメッセージに関する共有許可関連値を含む。
【００９２】
この後、ステップ４４３で、第２の移動端末２０は、ＭＭ１_ｒｅｔｒｉｅｖｅ．ＲＥＱメッセージを第２のＭＭＳリレー／サーバ４０へ送信し、これにより、上記所定のマルチメディアメッセージの検索を要求する。ＭＭ１_ｒｅｔｒｉｅｖｅ．ＲＥＱメッセージは、ＭＭ１_ｒｅｔｒｉｅｖｅ_ｓｈａｒｅ．ＲＥＱメッセージの情報と同一の情報を含む。ここで、ＭＭ１_ｒｅｔｒｉｅｖｅ．ＲＥＱメッセージを送信するための第２の移動端末２０の動作手順及びＭＭ１_ｒｅｔｒｉｅｖｅ．ＲＥＱメッセージを受信した第２のＭＭＳリレー／サーバ４０の動作手順は、図１０に示したＭＭ１_ｒｅｔｒｉｅｖｅ_ｓｈａｒｅ．ＲＥＱメッセージを送信するための第２の移動端末２０の動作手順及びＭＭ１_ｒｅｔｒｉｅｖｅ_ｓｈａｒｅ．ＲＥＱメッセージを受信した第２のＭＭＳリレー／サーバ４０の動作手順と同一である。
【００９３】
ＭＭ１_ｒｅｔｒｉｅｖｅ．ＲＥＱメッセージを受信した場合には、ステップ４４５で、第２のＭＭＳリレー／サーバ４０は、ＭＭ４_ｒｅｔｒｉｅｖｅ．ＲＥＱメッセージを第１のＭＭＳリレー／サーバ３０へ送信し、これにより、上記所定のマルチメディアメッセージの検索を要求する。第１のＭＭＳリレー／サーバ３０は、該要求に基づく動作を遂行し、遂行の結果をＭＭ４_ｒｅｔｒｉｅｖｅ．ＲＥＳメッセージに挿入して、ステップ４４７で、ＭＭ４_ｒｅｔｒｉｅｖｅ．ＲＥＳメッセージを第２のＭＭＳリレー／サーバ４０へ送信する。ステップ４４５及びステップ４４７の手順は、図１０のステップ４１５及びステップ４１７の手順と同一である。
【００９４】
ＭＭ４_ｒｅｔｒｉｅｖｅ．ＲＥＳメッセージを受信した場合には、第２のＭＭＳリレー／サーバ４０は、ステップ４４９で、ＭＭ１_ｒｅｔｒｉｅｖｅ．ＲＥＳメッセージを第２の移動端末２０へ送信し、これにより、検索されたマルチメディアメッセージを送信する。ＭＭ１_ｒｅｔｒｉｅｖｅ．ＲＥＳメッセージは、ＭＭ１_ｒｅｔｒｉｅｖｅ_ｓｈａｒｅ．ＲＥＳメッセージの情報と同一の情報を含み、ＭＭ１_ｒｅｔｒｉｅｖｅ．ＲＥＳメッセージを処理するための第２のＭＭＳリレー／サーバ４０及び第２の移動端末２０の動作は、ＭＭ１_ｒｅｔｒｉｅｖｅ_ｓｈａｒｅ．ＲＥＳメッセージを処理するための第２のＭＭＳリレー／サーバ４０及び第２の移動端末２０の動作と同一である。
【００９５】
次いで、図１２を参照して、本発明の第３の実施形態による、従来のトランザクションと新たに追加されたトランザクションとの組合せを用いて、アクセス許可を移動端末に通知する手順について説明する。図１２は、本発明の第３の実施形態によるアクセス許可通知手順に基づくメッセージの流れを示す図である。本実施形態において、各ステップに対するトランザクションの選択は、前後のステップで選択されたトランザクションとは関係がない。すなわち、様々な方法で、従来のトランザクションと新たに追加されたトランザクションとを組み合わせることができる。図１２を参照すると、ステップ４６１及びステップ４６３で、第１の移動端末１０及び第１のＭＭＳリレー／サーバ３０は、アクセス許可通知に対する要求／応答を行うためには、上記追加されたＭＭ１_ｍｍｂｏｘ_ｓｅｔ_ａｃｃｅｓｓ．ＲＥＱ／ＲＥＳトランザクションを使用し、ステップ４６５及びステップ４６７で、第１のＭＭＳリレー／サーバ３０から第２のＭＭＳリレー／サーバ４０へ上記アクセス許可通知を送信するためには、上記追加されたＭＭ４_ｎｏｔｉｆｉｃａｔｉｏｎ．ＲＥＱ／ＲＥＳトランザクションを使用する。その後、ステップ４６９及びステップ４７１で、従来のＭＭ１_ｎｏｔｉｆｉｃａｔｉｏｎ．ＲＥＱ／ＲＥＳトランザクションが、第２のＭＭＳリレー／サーバ４０から第２の移動端末２０へ上記アクセス許可通知を送信するのに使用される。この後、ステップ４７３で、第２の移動端末２０は、従来のＭＭ１_ｒｅｔｒｉｅｖｅ．ＲＥＱトランザクションを用いて、アクセスが許可されたマルチメディアメッセージの検索を要求する。ステップ４７５及びステップ４７７で、第１のＭＭＳリレー／サーバ３０及び第２のＭＭＳリレー／サーバ４０は、第２のＭＭＳリレー／サーバ４０から第１のＭＭＳリレー／サーバ３０へ上記検索要求を送信し、アクセスが許可されたマルチメディアメッセージを検索するために、追加されたＭＭ４_ｒｅｔｒｉｅｖｅ．ＲＥＱ／ＲＥＳトランザクションを使用する。ステップ４７９で、従来のＭＭ１_ｒｅｔｒｉｅｖｅ．ＲＥＳトランザクションが、当該アクセスが許可された、要求されたマルチメディアメッセージを第２の移動端末２０へ送信するのに使用される。
【００９６】
図８乃至図１２を参照した上記の説明は、所定のマルチメディアメッセージへのアクセスが許可されることを移動端末に通知する手順についてなされたものである。下記では、所定のマルチメディアメッセージに設定されたアクセス許可が取り消されることを移動端末に通知する手順について説明する。
【００９７】
アクセス許可に関連した取消し通知は、新たに追加された情報要素を用いて遂行されてもよいし、または、従来の情報要素を用いて遂行されてもよい。上記新たに追加された情報要素を使用する場合には、上記アクセス許可に関連した取消し通知は、上述したアクセス許可関連情報を適切なトランザクションに挿入することによってなされる。上記アクセス許可関連情報は、“ｙｅｓ”及び“ｎｏ”の２つの値のうちの１つを取り、“ｙｅｓ”は、所定のマルチメディアメッセージへのアクセスが許されることを示し、“ｎｏ”は、所定のマルチメディアメッセージに以前に設定されたアクセス許可が取り消されることを示す。ここで、上記デフォルト値は、“ｙｅｓ”として設定される。従って、“ｎｏ”として設定されたアクセス許可関連情報の値を含むアクセス許可通知トランザクションが送信された場合には、受信側端末のユーザは、自身のアクセス権限が取り消されたことを理解することができる。
【００９８】
上記アクセス許可関連情報をトランザクションに挿入する方法について説明する。所定のマルチメディアメッセージへのアクセスが許可される場合には、上記アクセス許可関連情報は、上記デフォルト値が“ｙｅｓ”であれば、いずれのトランザクションによっても規定される必要はない。しかしながら、所定のマルチメディアメッセージへのアクセス許可が取り消される場合には、上記アクセス許可関連情報は、アクセス許可の取消しを受信側端末に通知するために、該受信側端末又は該受信側端末に接続されたＭＭＳリレー／サーバへ送信されるトランザクションに含まれなければならない。このために、本発明の一実施形態においては、追加されたＭＭ１_ｎｏｔｉｆｉｃａｔｉｏｎ．ＲＥＱメッセージ及びＭＭ４_ｎｏｔｉｆｉｃａｔｉｏｎ．ＲＥＱメッセージは、上記アクセス許可関連情報を含む。また、かかるアクセス許可関連情報をＭＭ１_ｓｅｎｄ_ｎｏｔｉｆ．ＲＥＱメッセージ及びＭＭ１_ｍｍｂｏｘ_ｓｅｔ_ａｃｅｓｓ．ＲＥＱメッセージに挿入することにより、所定のマルチメディアメッセージのオーナーが、上記アクセス許可が取り消されたことを所定のマルチメディアメッセージへのアクセスを許可された移動端末に通知することができる。
【００９９】
従来のトランザクションを使用してアクセス許可が取り消されたことを移動端末に通知する手順は、追加されたトランザクションを使用してアクセス許可が取り消されたことを移動端末に通知する手順と類似している。例えば、上記アクセス許可関連情報は、ＭＭ４_ｆｏｒｗａｒｄ．ＲＥＱメッセージ及びＭＭ１_ｎｏｔｉｆｉｃａｔｉｏｎ．ＲＥＱメッセージに含まれてもよい。上記アクセス取消し通知要求を受信するＭＭＳリレー／サーバが、上記通知が承認に関連するか又は取消しに関連するかを判定することができる場合には、“承認されたアクセス”は、選択的に存在することができる。また、かかるアクセス許可関連情報は、ＭＭ１_ｓｕｂｍｉｔ．ＲＥＱメッセージ又はＭＭ１_ｍｍｂｏｘ_ｕｐｌｏａｄ．ＲＥＱメッセージに選択的に含まれてもよい。
【０１００】
また、上記アクセス許可に関連した取消し通知は、情報要素の送信を介して遂行されることができる。所定のマルチメディアメッセージに設定されたアクセス許可は、多様な理由で取り消されることもある。例えば、上記所定のマルチメディアメッセージのアクセス期限が満了した場合（第１の場合）、上記所定のマルチメディアメッセージのアクセスモードが非公開モードに変更される場合（第２の場合）、そして、該当するユーザが上記所定のマルチメディアメッセージのアクセスユーザ情報から除去される場合（第３の場合）に、上記アクセス許可が、取り消される。
【０１０１】
上記第１の場合が発生する場合には、上記所定のマルチメディアメッセージのアクセス期限情報を該当する移動端末へ送信することにより、アクセス許可が取り消されたことを該当する移動端末に通知することができる。上記第２の場合が発生する場合には、上記所定のマルチメディアメッセージのアクセスモード情報を該当する移動端末へ送信することにより、アクセス許可が取り消されたことを該当する移動端末に通知することができる。そして、上記第３の場合が発生する場合には、上記所定のマルチメディアメッセージに関連した更新されたアクセスユーザ情報が、上記アクセス許可が取り消された移動端末へ送信される。しかしながら、この際、当該アクセスユーザ情報の提供は、当該アクセスユーザ情報が他のユーザに関する多様な情報を含むため、重要なプライバシーの問題をもたらす可能性がある。従って、該当するユーザに提供される機密情報（例えば、アクセスモード情報及び／又はアクセス期限情報）が、アクセス許可が取り消されたことを示す値に置き換えられられ、これにより、当該アクセス許可が取り消されたことを該当するユーザに通知することが好ましい。上述した場合において、上記アクセスモード情報及び／又は上記アクセス期限情報は、アクセスディスプレーリストを通して提供されていなければならない。
【０１０２】
以下、図１３乃至図１５を参照して、本発明の実施形態によるＭＭボックスに格納されているマルチメディアメッセージを検索する手順について説明する。上記では、アクセス許可が通知されたマルチメディアメッセージのみを検索する手順について説明した。マルチメディアメッセージのアクセスモードが公開モードとして設定される場合には、アクセス許可通知を全てのユーザに送信することはできない。従って、アクセス許可通知無しに、移動端末がＭＭボックスに格納されているマルチメディアメッセージを検索する手順について説明する。
【０１０３】
まず、図１３を参照して、マルチメディアメッセージ検索手順に基づくＭＭＳシステムの動作について説明する。図１３は、本発明の一実施形態によるマルチメディアメッセージを検索する手順を示す図である。ステップ“ｋ”で、第１の移動端末１０は、所定のマルチメディアメッセージのアクセスモードを公開モードとして設定し、例えば、当該所定のマルチメディアメッセージをキーワード“オーストラリア”と関連付けて、当該所定のマルチメディアメッセージを第１のＭＭＳリレー／サーバ３０にアップロードする。ステップ“ｌ”で、第２の移動端末２０は、キーワード“オーストラリア”と関連したマルチメディアメッセージに対する検索要求を第２のＭＭＳリレー／サーバ４０へ送信する。ステップ“ｍ”で、第２のＭＭＳリレー／サーバ４０は、キーワード“オーストラリア”と関連したマルチメディアメッセージに対する自身のＭＭボックスを検索して、キーワード“オーストラリア”と関連したマルチメディアメッセージに対する検索要求を異なるＭＭＳリレー／サーバ、すなわち、第１のＭＭＳリレー／サーバ３０へ送信する。その後、第１のＭＭＳリレー／サーバ３０は、上記マルチメディアメッセージ検索要求に基づいて、キーワード“オーストラリア”と関連したマルチメディアメッセージを検索して、ステップ“ｎ”で、検出されたマルチメディアメッセージを第２のＭＭＳリレー／サーバ４０へ送信する。次いで、第２のＭＭＳリレー／サーバ４０は、第１のＭＭＳリレー／サーバ３０から受信したマルチメディアメッセージと自身が検索したマルチメディアメッセージとを結合して、ステップ“ｏ”で、結合されたマルチメディアメッセージを第２の移動端末２０へ送信する。
【０１０４】
上述したように、マルチメディアメッセージを検索するためには、送信されるマルチメディアメッセージ検索要求は、マルチメディアメッセージの位置情報リスト、検索範囲情報、検索アドレス情報、及び要求者アドレスを含む。
【０１０５】
上記マルチメディアメッセージの位置情報リストは、所定のマルチメディアメッセージの位置リストを含む。従って、当該マルチメディアメッセージの位置情報リストが設定された場合には、設定された位置情報リストに含まれている所定のマルチメディアメッセージが検索される。マルチメディアメッセージの位置情報リストが設定されていない場合には、上記検索範囲及び上記検索アドレスが設定されなければならない。
【０１０６】
上記検索範囲は、上記マルチメディアメッセージの検索範囲を規定して、“非公開”、“制限”、及び“グローバル”の３つの値のうちの１つを取ることができる。上記“非公開”は、検索を要求した移動端末のユーザのＭＭボックスアカウントのみが検索範囲として設定される。ここで、上記アカウントは、特定のユーザに属しているＭＭボックスに格納されているマルチメディアメッセージのセットを意味する。上記“制限”は、特定のユーザのＭＭボックスアカウントのみが検索範囲として設定されたことを意味する。上記“グローバル”は、全てのユーザのアカウントが検索範囲として設定されたことを意味する。
【０１０７】
上記検索アドレスは、当該検索範囲が“制限”として設定される場合には、検索範囲に含まれている特定のユーザのアドレスリストを提供し、上記アドレスに該当するＭＭボックスアカウントが検索されなければならない。
【０１０８】
上記要求者アドレスは、マルチメディアメッセージ検索を要求する発信者（すなわち、移動端末）のアドレスを示す。上記要求者アドレスは、マルチメディアメッセージの位置情報リストが上記検索要求者のＭＭボックスの外に存在するマルチメディアメッセージを含む場合に有用に使用される。上記検索範囲が“制限”又は“グローバル”として設定された場合には、上記検索要求者が特定のＭＭボックスに関する情報を取得する権利を有するか否かを検査するために、上記検索要求を受信するＭＭＳリレー／サーバは、上記要求者アドレスを使用する。
【０１０９】
上述した情報要素を除いて、検索されるマルチメディアメッセージを設定するために、又は検出されたマルチメディアメッセージと関連した情報の中から提供されることが望まれる特定の情報に対するフィルタリング基準のために、アクセスモード情報、アクセスユーザ情報、及びアクセス期限情報が使用されることができる。かかる情報が要求ユーザに提供される前に、要求ユーザは、まず上記マルチメディアメッセージのオーナーによりアクセスディスプレーリストを通して権限を与えられなければならない。
【０１１０】
ユーザの要求に従ってマルチメディアメッセージの検索を要求する場合には、移動端末は、上述した情報を当該マルチメディアメッセージの検索要求に挿入する。
【０１１１】
当該マルチメディアメッセージに対する検索が要求される場合には、ＭＭＳリレー／サーバは、図１４及び図１５に示すような手順に基づいて動作する。図１４及び図１５は、本発明の一実施形態によるマルチメディアメッセージ検索手順に基づくＭＭＳリレー／サーバの動作を示すフローチャートである。図６、図１４、及び図１５を参照すると、図６のステップ３０１で、マルチメディアメッセージサービス（ＭＭＳ）に対する要求を受信した場合には、ＭＭＳリレー／サーバは、受信した要求がＭＭＳ関連要求であると把握して、図１４のステップ３５１へ進む。ステップ３５１で、ＭＭＳリレー／サーバは、当該ＭＭＳ関連要求がマルチメディアメッセージ検索要求に該当するか否かを判定する。判定の結果、当該ＭＭＳ関連要求がマルチメディアメッセージ検索要求に該当する場合には、ＭＭＳリレー／サーバは、ステップ３５３へ進む。一方、当該ＭＭＳ関連要求がマルチメディアメッセージ検索要求に該当しない場合には、ＭＭＳリレー／サーバは、「２」へ進み、図６のステップ３０１へ戻る。ステップ３５３で、ＭＭＳリレー／サーバは、マルチメディアメッセージ位置情報リストが上記マルチメディアメッセージ検索要求に設定されているか否かを確認し、これにより、上記マルチメディアメッセージ検索要求が特定のマルチメディアメッセージに対する検索要求に該当するか否かを把握する。当該マルチメディアメッセージ検索要求が特定のマルチメディアメッセージに対する検索要求に該当する場合には、ＭＭＳリレー／サーバは、ステップ３５５へ進む。一方、当該マルチメディアメッセージ検索要求が特定のマルチメディアメッセージに対する検索要求に該当しない場合には、ＭＭＳリレー／サーバは、「６」へ進んで、図１５のステップ３６９へ進む。ステップ３５５で、ＭＭＳリレー／サーバは、上記特定のマルチメディアメッセージがＭＭＳリレー／サーバに接続されたＭＭボックスに存在するか否かを判定する。判定の結果、上記特定のマルチメディアメッセージが上記ＭＭボックスに存在する場合には、ＭＭＳリレー／サーバは、ステップ３５７へ進む。一方、上記特定のマルチメディアメッセージが上記ＭＭボックスに存在しない場合には、ＭＭＳリレー／サーバは、ステップ３８１へ進んで、異なるＭＭＳリレー／サーバに上記特定のマルチメディアメッセージを検索することを要求する。
【０１１２】
ステップ３５７で、ＭＭＳリレー／サーバは、上記特定のマルチメディアメッセージに設定されたアクセスモードが公開モードであるか否かを検査する。検査の結果、上記特定のマルチメディアメッセージに設定されたアクセスモードが上記公開モードである場合には、ＭＭＳリレー／サーバは、ステップ３６３へ進む。他方、上記特定のマルチメディアメッセージに設定されたアクセスモードが非公開モードである場合には、ＭＭＳリレー／サーバは、ステップ３５９へ進む。ステップ３５９で、ＭＭＳリレー／サーバは、上記特定のマルチメディアメッセージに設定されたアクセスモードが制限モードであるか否かを検査する。該検査の結果、上記特定のマルチメディアメッセージに設定されたアクセスモードが上記制限モードである場合には、ＭＭＳリレー／サーバは、ステップ３６１へ進む。他方、上記特定のマルチメディアメッセージに設定されたアクセスモードが上記制限モードではない場合には、ＭＭＳリレー／サーバは、ステップ３６５へ進む。ステップ３５７及びステップ３５９の検査の結果、上記特定のマルチメディアメッセージに設定されたアクセスモードが公開モードでもなく制限モードでもない場合には、これは、上記特定のマルチメディアメッセージのアクセスモードが非公開モードであることを意味する。この場合には、当該非公開モードの特定のマルチメディアメッセージが検索されて提供されることができないため、ＭＭＳリレー／サーバは、ステップ３６５で、エラーメッセージを送信し、「２」へ進んで、図６のステップ３０１へ戻る。ステップ３６３で、ＭＭＳリレー／サーバは、上記特定のマルチメディアメッセージを送信するか、又は、上記特定のマルチメディアメッセージに関する情報を送信し、「２」へ進んで、図６のステップ３０１へ戻る。
【０１１３】
一方、上記特定のマルチメディアメッセージのアクセスモードが上記制限モードであることを検出したＭＭＳリレー／サーバは、ステップ３６１で、上記特定のマルチメディアメッセージに対する検索要求者のアドレスが上記特定のマルチメディアメッセージに設定されたアクセスユーザ情報に含まれているか否かを確認する。上記検索要求者のアドレスが上記アクセスユーザ情報に含まれる場合には、ＭＭＳリレー／サーバは、ステップ３６３へ進む。他方、上記検索要求者のアドレスが上記アクセスユーザ情報に含まれていない場合には、ＭＭＳリレー／サーバは、ステップ３６５へ進む。ステップ３６３で、ＭＭＳリレー／サーバは、上記特定のマルチメディアメッセージを上記検索要求者の端末へ送信し、「２」へ進んで、図６のステップ３０１へ戻る。
【０１１４】
一方、ステップ３５３で、上記マルチメディアメッセージ検索要求が特定のマルチメディアメッセージに対する検索要求ではない場合には、ＭＭＳリレー/サーバは、図１５のステップ３６７で、当該マルチメディアメッセージ検索要求に含まれている検索範囲を把握して、ステップ３６９へ進む。ステップ３６９で、ＭＭＳリレー／サーバは、上記検索範囲が“制限”として設定されているか否かを確認する。確認の結果、上記検索範囲が“制限”として設定されている場合には、ＭＭＳリレー/サーバは、ステップ３７１へ進む。一方、上記検索範囲が“制限”として設定されない場合には、ＭＭＳリレー／サーバは、ステップ３７５へ進む。ステップ３７１で、ＭＭＳリレー／サーバは、上記マルチメディアメッセージ検索要求に含まれた検索アドレスに対応するＭＭボックスアカウントがＭＭＳリレー／サーバに接続されたＭＭボックスに存在するか否かを検査する。検査の結果、当該ＭＭボックスアカウントがＭＭボックスに存在する場合には、ＭＭＳリレー／サーバは、ステップ３７３へ進む。他方、上記ＭＭボックスアカウントがＭＭボックスに存在しない場合には、ＭＭＳリレー／サーバは、ステップ３８１へ進んで、異なるＭＭＳリレー／サーバに該当するマルチメディアメッセージを検索することを要求する。ステップ３７５で、ＭＭＳリレー／サーバは、上記検索範囲が“非公開”として設定されているか否かを確認する。確認の結果、上記検索範囲が“非公開”として設定される場合には、ＭＭＳリレー／サーバは、ステップ３７７へ進む。他方、上記検索範囲が“非公開”として設定されていない場合には、ステップ３７９へ進む。ステップ３７７で、ＭＭＳリレー／サーバは、上記検索要求者のＭＭボックス格納領域に格納されたマルチメディアメッセージを検出して送信し、「２」へ進んで、図６のステップ３０１へ戻る。ステップ３７９で、ＭＭＳリレー／サーバは、全てのＭＭボックスに格納されたアクセスが許可されたマルチメディアメッセージを検出して上記検索要求者へ送信し、「２」へ進んで、図６のステップ３０１へ戻る。ここで、“上記アクセスが許可されたマルチメディアメッセージ”は、上記アクセスモードが“制限”又は“公開”として設定され、上記アクセスモードが“制限”として設定される場合には、上記アクセスユーザ情報が上記要求者のアドレスを含む場合に該当するマルチメディアメッセージを示す。
【０１１５】
上記マルチメディアメッセージ検索手順に基づくトランザクションは、＜表４＞に示される。
【０１１６】
【表４】
2008537670.tif 000006
上記の＜表４＞のステップは、図１３のステップに該当する。ステップ“ｋ”で、ＭＭ１_ｍｍｂｏｘ_ｕｐｌｏａｄ．ＲＥＱ／ＲＥＳトランザクションは、上述したものと同一であり、本発明の一実施形態において、マルチメディアメッセージは、アップロードされ、アップロードされたマルチメディアメッセージのアクセスモードは、公開モードとして設定される。
【０１１７】
ステップ“ｌ”で、第２の移動端末２０は、ＭＭ１_ｍｍｂｏｘ_ｖｉｅｗ．ＲＥＱメッセージを第２のＭＭＳリレー／サーバ４０へ送信することにより、マルチメディアメッセージに関する情報だけでなく、ユーザのＭＭボックスに現在格納されているマルチメディアメッセージの全体又は一部のリストを第２の移動端末２０に提供することを第２のＭＭＳリレー／サーバ４０に要求する。上記した他にも、ＭＭ１_ｍｍｂｏｘ_ｖｉｅｗ．ＲＥＱメッセージは、第２の移動端末２０が上記マルチメディアメッセージの検索の範囲を他のユーザのＭＭボックスに拡大できるようにする選択項目を含む。ＭＭ１_ｍｍｂｏｘ_ｖｉｅｗ．ＲＥＱメッセージは、検索要求者の設定に基づいて、メッセージ参照リスト（マルチメディアメッセージ位値情報リスト）、検索範囲、検索アドレス、要求者アドレス、アクセスモード、アクセスユーザ情報、及びアクセス期限を含む。
【０１１８】
この際、上記マルチメディアメッセージ位置情報リストが特定される場合には、第２の移動端末２０は、上記検索範囲及び上記検索アドレスを特定しない。上記検索アドレスは、上記検索範囲が“制限”として設定される場合に限り特定される。第２の移動端末２０は、上記マルチメディアメッセージ位置情報リストが上記検索要求者のＭＭボックス格納領域外にある位置情報を含む場合、又は、上記検索範囲が“制限”又は“公開”として設定される場合のみ、上記要求者アドレスを特定しなければならない。また、第２の移動端末２０は、次のような条件に基づいて、アクセスモード、アクセスユーザ情報、及びアクセス期限を設定しなければならない。すなわち、アクセスモード、アクセスユーザ情報、及びアクセス期限は、ユーザによって要求されるときだけ、ＭＭ１_ｍｍｂｏｘ_ｖｉｅｗ．ＲＥＱの選択基準に含まれる。また、アクセスモード、アクセスユーザ情報、及びアクセス期限は、上記検索要求に応じて表示されるようにユーザにより要求される場合には、ＭＭ１_ｍｍｂｏｘ_ｖｉｅｗ．ＲＥＱの属性リストに載せられる。
【０１１９】
ＭＭ１_ｍｍｂｏｘ_ｖｉｅｗ．ＲＥＱメッセージを受信した場合には、第２のＭＭＳリレー／サーバ４０は、マルチメディアメッセージ位置情報リストがＭＭ１_ｍｍｂｏｘ_ｖｉｅｗ．ＲＥＱメッセージに特定された場合に、上記マルチメディアメッセージ位置情報リストに含まれた位置情報に該当するＭＭＳリレー／サーバを検索する。上記マルチメディアメッセージ位置情報リストの位置情報が異なるＭＭＳリレー／サーバに該当する場合には、第２のＭＭＳリレー／サーバ４０は、ＭＭ４_ｍｍｂｏｘ_ｖｉｅｗ．ＲＥＱメッセージを異なるＭＭＳリレー／サーバへ送信することにより、上記検索を要求する。これに対して、上記マルチメディアメッセージ位置情報リストの位置情報が第２のＭＭＳリレー／サーバ４０自身に該当する場合には、第２のＭＭＳリレー／サーバ４０は、上記要求されたマルチメディアメッセージを検索する。その後、第２のＭＭＳリレー／サーバ４０は、上記マルチメディアメッセージに設定されたアクセスモードに基づいて、図１４のステップ３５７乃至ステップ３６５を遂行することにより、アクセスが許可されたマルチメディアメッセージを送信する。
【０１２０】
この際、当該アクセスが許可されたマルチメディアメッセージに設定されたアクセス許可条件情報のうち、以前に設定されたアクセスディスプレーリストに含まれているアクセス許可条件と一致するアクセス許可条件情報のみが選択されて送信される。上記アクセス許可条件が上記アクセスディスプレーリストに含まれていない場合には、上記アクセス許可条件情報は、“隠し”で表示されるか、又は、デフォルトリストが存在する場合には、デフォルトリストに含まれているアクセス許可条件情報が選択されて送信されなければならない。
【０１２１】
特定のマルチメディアメッセージが現在のＭＭＳリレー／サーバ（すなわち、第２のＭＭＳリレー／サーバ４０）に位置すると予想されるが、発見することができない場合には、エラーメッセージが、第２のＭＭＳリレー／サーバ４０から第２の移動端末２０へ送信される。
【０１２２】
一方、上記マルチメディアメッセージ位置情報リストがＭＭ１_ｍｍｂｏｘ_ｖｉｅｗ．ＲＥＱメッセージに設定されていない場合には、第２のＭＭＳリレー／サーバ４０は、上記検索範囲を検査する。上記検索範囲が“非公開”として設定されている場合には、第２のＭＭＳリレー／サーバ４０は、上記検索要求者のＭＭボックスに格納されたマルチメディアメッセージを検索して、発見されたマルチメディアメッセージを提供する。
【０１２３】
上記検索範囲が“制限”として設定されている場合には、第２のＭＭＳリレー／サーバ４０は、上記検索アドレスリストを確認する。その後、第２のＭＭＳリレー／サーバ４０は、上記検索アドレスリストに含まれている各アドレスについて次のような措置を遂行する。第２のＭＭＳリレー／サーバ４０は、各アドレスに対応するユーザのアカウントの位置を把握し、把握されたユーザのアカウントが異なるＭＭＳリレー／サーバと関連がある場合には、第２のＭＭＳリレー／サーバ４０は、ＭＭ４_ｍｍｂｏｘ_ｖｉｅｗ．ＲＥＱメッセージを当該異なるＭＭＳリレー／サーバへ送信することにより、当該異なるＭＭＳリレー／サーバに該当するマルチメディアメッセージの検索を要求する。これに対して、上記ユーザのアカウントが第２のＭＭＳリレー／サーバ４０自身によって保持されている場合には、上記ユーザにより格納されたマルチメディアメッセージアクセス許可条件に基づいてアクセスが許可されたマルチメディアメッセージを検出する。
【０１２４】
上記検索範囲が“グローバル”として設定されている場合には、第２のＭＭＳリレー／サーバ４０は、全てのユーザのＭＭボックスアカウントを検査して、異なるＭＭＳリレー／サーバに該当するマルチメディアメッセージの検索を要求する。
【０１２５】
ステップ“ｍ”で、第２のＭＭＳリレー／サーバ４０は、ＭＭ４_ｍｍｂｏｘ_ｖｉｅｗ．ＲＥＱメッセージを第１のＭＭＳリレー／サーバ３０へ送信することにより、第１の移動端末１０のＭＭボックスが第１のＭＭＳリレー／サーバ３０に接続されていることを第１のＭＭＳリレー／サーバ３０に通知し、第２の移動端末２０のマルチメディアメッセージ検索要求を第１のＭＭＳリレー／サーバ３０へ送信する。第１のＭＭＳリレー／サーバ３０の動作手順は、第２のＭＭＳリレー／サーバ４０の動作手順と類似している。第１のＭＭＳリレー／サーバ３０が“非公開”として設定された検索範囲の要求を受信した場合には、第２のＭＭＳリレー／サーバ４０へエラーメッセージを送信する。
【０１２６】
この後、該当するマルチメディアメッセージに対する検索が完了した場合には、第１のＭＭＳリレー／サーバ３０は、ステップ“ｎ”で、発見されたマルチメディアメッセージをＭＭ４_ｍｍｂｏｘ_ｖｉｅｗ．ＲＥＳメッセージに挿入することにより、上記発見されたマルチメディアメッセージを送信する。ＭＭ４_ｍｍｂｏｘ_ｖｉｅｗ．ＲＥＳメッセージは、送信されるマルチメディアメッセージの位置情報、ＭＭ４_ｍｍｂｏｘ_ｖｉｅｗ．ＲＥＱメッセージに特定されている場合には、上記マルチメディアメッセージのオーナーのアドレス、そして、上記マルチメディアメッセージのオーナーの要求及び承認がある場合には、上記マルチメディアメッセージと関連したアクセス許可条件情報を含む。また、他の属性（例えば、上記マルチメディアメッセージと関連したキーワード）がＭＭ４_ｍｍｂｏｘ_ｖｉｅｗ．ＲＥＱメッセージに設定されている場合には、これら属性は、ＭＭ４_ｍｍｂｏｘ_ｖｉｅｗ．ＲＥＳメッセージに含まれることがある。
【０１２７】
上述したように、所定のマルチメディアメッセージの応答要素は、ヘッダーにおいて別途の情報要素としてリターンされてはならず、単一のリストに含まれなければならない。例えば、応答要素は、当該ヘッダー内の単一の情報要素での単一のリストに含まれてもよいし、又は、上記メッセージのボディー部内の単一のリストに含まれてもよい。
【０１２８】
ステップ“ｏ”で、第２のＭＭＳリレー／サーバ４０は、ＭＭ１_ｍｍｂｏｘ_ｖｉｅｗ．ＲＥＳメッセージを第２の移動端末２０へ送信することにより、検出されたマルチメディアメッセージを第２の移動端末２０へ送信する。
【０１２９】
ＭＭ１_ｍｍｂｏｘ_ｖｉｅｗ．ＲＥＳメッセージに含まれている情報は、ＭＭ４_ｍｍｂｏｘ_ｖｉｅｗ．ＲＥＱメッセージに含まれている情報と類似している。この場合、第２のＭＭＳリレー／サーバ４０は、異なるＭＭＳリレー／サーバから受信された全てのＭＭ４_ｍｍｂｏｘ_ｖｉｅｗ．ＲＥＳメッセージを統合することにより、検索結果を構成し、検索結果は、第２のＭＭＳリレー／サーバ４０自身のＭＭボックスからの応答を含む。例えば、第２のＭＭＳリレー／サーバ４０は、当該応答（メッセージ）を一連のリストとして統合することができ、これは、上記メッセージのボディー部で上記リターンされたマルチメディアメッセージ当たりの１つのリストを含む。上記検索要求者（すなわち、第２の移動端末２０）へ送信された最終及び統合検索結果は、ＭＭ４_ｍｍｂｏｘ_ｖｉｅｗ．ＲＥＳメッセージについて説明したフォーマットと同一のフォーマットを有する。
【０１３０】
以上、本発明の具体的な実施形態に関して詳細に説明したが、添付された請求項により規定された本発明の精神及び範囲を逸脱することなく、様々な変形が可能であることは、当業者に理解されるであろう。例えば、本発明は、インターネットを介してウェブ上でマルチメディアメッセージボックスに格納されたマルチメディアメッセージを検索するのに適用されることができ、アクセス許可条件は、変更されてもよい。すなわち、移動端末を通して遂行されるマルチメディアメッセージ関連動作は、インターネットを介してウェブ上で遂行されることができる。よって、本発明の範囲は、上述した実施の形態に限定されるものではなく、特許請求の範囲とその均等物によって定められるべきである。
【図面の簡単な説明】
【０１３１】
【図１】従来のマルチメディアメッセージサービスに基づくメッセージの流れを示す図である。
【図２】本発明が適用されるＭＭＳシステムの構成を示すブロック図である。
【図３】本発明が適用される移動端末の構成を示すブロック図である。
【図４】本発明の一実施形態によるアクセス許可条件を設定する手順に基づく移動端末の動作を示すフローチャートである。
【図５】本発明の一実施形態によるアクセス許可条件情報を要求する手順に基づく移動端末の動作を示すフローチャートである。
【図６】本発明の一実施形態によるアクセス許可条件を設定する手順に基づくＭＭＳリレー／サーバの動作を示すフローチャートである。
【図７】本発明の一実施形態によるアクセス許可条件情報を提供する手順に基づくＭＭＳリレー／サーバの動作を示すフローチャートである。
【図８】本発明の一実施形態によるアクセス許可通知手順を示す図である。
【図９】本発明の一実施形態によるアクセス許可通知手順に基づくＭＭＳリレー／サーバの動作を示すフローチャートである。
【図１０】本発明の第１の実施形態によるアクセス許可通知手順に基づくメッセージの流れを示す図である。
【図１１】本発明の第２の実施形態によるアクセス許可通知手順に基づくメッセージの流れを示す図である。
【図１２】本発明の第３の実施形態によるアクセス許可通知手順に基づくメッセージの流れを示す図である。
【図１３】本発明の一実施実施によるマルチメディアメッセージを検索する手順を示す図である。
【図１４】本発明の一実施形態によるマルチメディアメッセージ検索手順に基づくＭＭＳリレー／サーバの動作を示すフローチャートである。
【図１５】本発明の一実施形態によるマルチメディアメッセージ検索手順に基づくＭＭＳリレー／サーバの動作を示すフローチャートである。
【図１】
2008537670.tif 000007
【図２】
2008537670.tif 000008
【図３】
2008537670.tif 000009
【図４】
2008537670.tif 000010
【図５】
2008537670.tif 000011
【図６】
2008537670.tif 000012
【図７】
2008537670.tif 000013
【図８】
2008537670.tif 000014
【図９】
2008537670.tif 000015
【図１０】
2008537670.tif 000016
【図１１】
2008537670.tif 000017
【図１２】
2008537670.tif 000018
【図１３】
2008537670.tif 000019
【図１４】
2008537670.tif 000020
【図１５】
2008537670.tif 000021
【国際調査報告】
2008537670.tif 000022
2008537670.tif 000023